(57)【特許請求の範囲】
【請求項１】
２つの部品を取外し自在に接続するためのクロージャ装置（１）であって、
前記クロージャ装置（１）は、第１クロージャ部（２）及び第２クロージャ部（３）を備えており、前記クロージャ装置（１）を閉じるために前記第１クロージャ部（２）は前記第２クロージャ部（３）に装着可能であり、前記第１クロージャ部（２）は閉じ位置において前記第２クロージャ部（３）に保持されており、
前記第１クロージャ部（２）は第１係合突起（２２０、２２１）を、前記第２クロージャ部（３）は第２係合突起（３２０、３２１）を備えており、閉じる際に、前記第１係合突起（２２０、２２１）は前記第２係合突起（３２０、３２１）に対して係合方向（Ｙ）に係合可能であり、閉じ位置では、前記第１係合突起（２２０、２２１）は前記第２係合突起（３２０、３２１）と形状係合し、
前記第２クロージャ部（３）にはブロッキング要素（３３、３４）が設けられており、
前記第１クロージャ部（２）が前記第２クロージャ部（３）に装着される際に、前記ブロッキング要素（３３、３４）は前記第１クロージャ部（２）と連動することにより通常位置から移動し、それにより、前記第１係合突起（２２０、２２１）は前記第２係合突起（３２０、３２１）に対して係合方向（Ｙ）に係合可能となり、係合の確立中又は確立後には、前記ブロッキング要素（３３、３４）はその通常位置に戻り、それにより、前記通常位置において、前記第２係合突起（３２０、３２１）に対する前記第１係合突起（２２０、２２１）の形状係合が係合方向（Ｙ）に対してブロックされる、クロージャ装置（１）において、
前記第１クロージャ部（２）と前記第２クロージャ部（３）との間において、磁気機構（２５、３５）が作用し、前記磁気機構（２５、３５）は磁気吸引力を提供することにより前記第２クロージャ部（３）に対する前記第１クロージャ部（２）の装着をサポートするよう形成されていることを特徴とする、クロージャ装置。
【請求項２】
請求項１に記載のクロージャ装置において、前記第１係合突起（２２０、２２１）及び前記第２係合突起（３２０、３２１）は、それぞれ対応する前記クロージャ部（２、３）の基体（２０、３０）に動かないように形成されることを特徴とする、クロージャ装置。
【請求項３】
請求項１又は２に記載のクロージャ装置において、係合方向（Ｙ）は、前記クロージャ装置（１）が適切に使用されたときに負荷が作用する方向である負荷方向（Ｆ）に沿った方向を向いていることを特徴とする、クロージャ装置。
【請求項４】
請求項１〜３のいずれか一項に記載のクロージャ装置において、前記ブロッキング要素（３３、３４）は、前記第２クロージャ部（３）の基体（３０）に設けられたブロッキング・タングにより実現され、前記ブロッキング・タングは、前記第１クロージャ部（２）が前記第２クロージャ部（３）に装着される際に係合方向（Ｙ）に対してトランスバース方向に通常位置から弾性的に後退し、係合の確立中又は確立後には再び通常位置に戻るよう形成されていることを特徴とする、クロージャ装置。
【請求項５】
請求項１〜４のいずれか一項に記載のクロージャ装置において、閉じ位置では、前記第２クロージャ部（３）の前記ブロッキング要素（３３、３４）は、前記第１クロージャ部（２）の前記第１係合突起（２２０、２２１）に対して、又は前記第１クロージャ部（２）に設けられた、前記第１係合突起（２２０、２２１）とは異なるブロッキング・ノーズ（２３、２４；４００Ａ、４００Ｂ；４６０Ａ、４６０Ｂ）に対して、ブロックするように作用することを特徴とする、クロージャ装置。
【請求項６】
請求項１〜５のいずれか一項に記載のクロージャ装置において、前記クロージャ装置（１）を開くための作動機構（４）が形成されており、前記作動機構（４）は、作動の際、前記ブロッキング要素（３３、３４）に作用して前記ブロッキング要素（３３、３４）をその通常位置から移動させることにより、前記第１係合突起（２２０、２２１）と前記第２係合突起（３２０、３２１）との係合のブロックを解除することを特徴とする、クロージャ装置。
【請求項７】
請求項１〜５のいずれか一項に記載のクロージャ装置において、前記クロージャ装置（１）を開くための作動機構（４）が形成されており、作動の際、閉じ位置において前記ブロッキング要素（３３、３４）と連動してブロックを行うように前記第１クロージャ部（２）に設けられたブロッキング・ノーズ（４００Ａ、４００Ｂ）が、移動するようになっており、前記ブロッキング・ノーズ（４００Ａ、４００Ｂ）を移動させることにより前記第１係合突起（２２０、２２１）と前記第２係合突起（３２０、３２１）との係合のブロックを解除することを特徴とする、クロージャ装置。
【請求項８】
請求項７に記載のクロージャ装置において、前記作動機構（４）は前記第１クロージャ部（２）の基体（２０）にピボット軸（Ｓ）を中心として回動可能に設けられたレバー要素（４６）を含み、前記レバー要素（４６）には、閉じ位置において前記ブロッキング要素（３３、３４）と連動するよう少なくとも１つのブロッキング係合要素（４６０Ａ、４６０Ｂ）が設けられていることを特徴とする、クロージャ装置。
【請求項９】
請求項８に記載のクロージャ装置において、前記レバー要素（４６）はレバー・ポーション（４６２）を含み、前記クロージャ装置（１）を開くために前記レバー要素（４６）がピボット運動すると、前記レバー・ポーション（４６２）は前記第２クロージャ部（３）と動作結合して、係合方向（Ｙ）の反対方向に、前記第２クロージャ部（３）に対して相対的な力を前記第１クロージャ部（２）に生じさせることを特徴とする、クロージャ装置。
【請求項１０】
請求項１〜５のいずれか一項に記載のクロージャ装置において、前記クロージャ装置（１）を開く際、前記第１クロージャ部（２）又は前記第１クロージャ部（２）の一部が前記第２クロージャ部（３）に対して相対的に移動して、前記第１係合突起（２２０、２２１）と前記第２係合突起（３２０、３２１）との係合のブロック、及び／又は前記第１係合突起（２２０、２２１）と前記第２係合突起（３２０、３２１）との確実な係合を解除することを特徴とする、クロージャ装置。
【請求項１１】
請求項１０に記載のクロージャ装置において、前記第１クロージャ部（２）及び／又は前記第２クロージャ部（３）には斜面（２８０）が設けられ、前記斜面（２８０）は、前記第１クロージャ部（２）又は前記第１クロージャ部（２）の一部が移動する際に、係合方向（Ｙ）に対して垂直な方向に前記第１クロージャ部（２）を前記第２クロージャ部（３）から離間させるよう形成されていることを特徴とする、クロージャ装置。
【請求項１２】
請求項１〜１１のいずれか一項に記載のクロージャ装置において、前記ブロッキング要素（３３、３４）は、前記第１クロージャ部（２）に対して係合方向（Ｙ）の反対方向に作用する限界力が超過された際に、前記第１係合突起（２２０、２２１）と前記第２係合突起との係合のブロックを解除して、前記第１係合突起（２２０、２２１）を前記第２係合突起（３２０、３２１）との係合から係合方向の反対方向に外すことができるように形成されていることを特徴とする、クロージャ装置。
【請求項１３】
請求項１〜１２のいずれか一項に記載のクロージャ装置において、前記第１クロージャ部（２）及び／又は前記第２クロージャ部（３）は乗上げスロープ（２２２、３２２）を含み、前記乗上げスロープ（２２２、３２２）は、前記第１クロージャ部（２）が前記第２クロージャ部（３）に対して係合方向とは異なる閉じ方向（Ｘ）に装着される際に、前記第１係合突起（２２０、２２１）が前記第２係合突起（３２０、３２１）に対して係合方向（Ｙ）に係合可能となるまで、前記第１係合突起（２２０、２２１）が前記第２係合突起（３２０、３２１）に乗り上げて前記第１クロージャ部（２）が係合方向（Ｙ）の反対方向に押されるように設計されていることを特徴とする、クロージャ装置。
【請求項１４】
請求項１〜１３のいずれか一項に記載のクロージャ装置において、前記磁気機構は前記第１クロージャ部（２）の第１磁石（２５）及び前記第２クロージャ部（３）の第２磁石（３５）により形成され、前記第１磁石（２５）及び前記第２磁石（３５）は、前記第１クロージャ部（２）が前記第２クロージャ部（３）に装着される際に互いに磁気的に引き付け合い、閉じ位置では、前記第１磁石（２５）及び前記第２磁石（３５）は係合方向（Ｙ）から見て互いにずれており、それにより閉じ位置において磁気吸引力が前記第１クロージャ部（２）に対して係合方向（Ｙ）に作用することを特徴とする、クロージャ装置。
【請求項１５】
請求項１〜１４のいずれか一項に記載のクロージャ装置において、前記第１クロージャ部（２）及び前記第２クロージャ部（３）にはそれぞれ２つの係合突起（２２０、２２１、３２０、３２１）が設けられ、前記各２つの係合突起は互いに角度をなして延在することを特徴とする、クロージャ装置。
【請求項１６】
請求項１〜１５のいずれか一項に記載のクロージャ装置において、ハウジング（５）には、前記第１クロージャ要素（２）又は前記第２クロージャ要素（３）が格納可能に設けられ、格納位置では、前記クロージャ部（２、３）は少なくとも一部が前記ハウジング（５）に囲まれるようになっており、係合の確立のために前記第１クロージャ部（２）が前記第２クロージャ部（３）に装着される際には、前記クロージャ部（２、３）はその格納位置から延出されることを特徴とする、クロージャ装置。
【請求項１７】
ベルトバックルであって、
第１クロージャ部（２）及び第２クロージャ部（３）を備えており、クロージャ装置を閉じるために前記第１クロージャ部（２）は前記第２クロージャ部（３）に装着可能であり、前記第１クロージャ部（２）は閉じ位置において前記第２クロージャ部（３）に保持されており、
前記第１クロージャ部（２）は第１係合突起を、前記第２クロージャ部（３）は第２係合突起を備えており、閉じる際に、前記第１係合突起は前記第２係合突起に対して係合方向（Ｙ）に係合可能であり、閉じ位置では、前記第１係合突起は前記第２係合突起と形状係合し、
前記第２クロージャ部（３）には、ブロッキング要素が設けられており、前記第１クロージャ部（２）が前記第２クロージャ部（３）に装着される際に、前記ブロッキング要素は前記第１クロージャ部（２）と連動することにより通常位置から移動し、それにより、前記第１係合突起は前記第２係合突起に対して係合方向（Ｙ）に係合可能となり、係合の確立中又は確立後には、前記ブロッキング要素はその通常位置に戻り、それにより、通常位置において、前記第２係合突起に対する前記第１係合突起の形状係合が係合方向（Ｙ）に対してブロックされるブロッキング要素を備えたベルトバックルにおいて、
前記第１クロージャ部（２）及び／又は前記第２クロージャ部（３）には、ベルトを固定するためのベルトウエビング受け（２１、３１）が設けられ、負荷状況下では、負荷力が前記クロージャ部（２、３）に負荷方向（Ｆ）に沿って作用し、前記第１クロージャ部（２）には、前記第２クロージャ部（３）に対して相対的に、係合方向（Ｙ）に負荷がかかることを特徴とする、ベルトバックル。 
【発明の詳細な説明】
【技術分野】
【０００１】
本発明は、請求項１の上位概念に係る２つの部品を接続するためのクロージャ装置に関する。
【背景技術】
【０００２】
このようなクロージャ装置は、第１クロージャ部及び第２クロージャ部を備える。第１クロージャ部は、クロージャ装置を閉じるために第２クロージャ部に装着可能であり、閉じ位置において、第２クロージャ部に保持される。クロージャ装置を閉じるために、第１クロージャ部の第１係合突起は、第２係合突起と係合方向に係合可能であり、上記閉じ位置において、第２係合突起と確実に係合している。第２クロージャ部には、ブロッキング要素がさらに設けられている。前記ブロッキング要素は、第１クロージャ部が第２クロージャ部に取り付けられる際に、第１クロージャ部と連動することにより通常位置から移動し、それにより、第１係合突起は第２係合突起と係合方向に係合可能となる。第１係合突起と第２係合突起との係合の確立中又は確立後（bei oder nach Herstellung）に、ブロッキング要素はその通常位置に戻り、通常位置において、ブロッキング要素は、第２係合突起に対する第１係合突起の確実な係合を係合方向に対してブロックする。
【０００３】
特許文献１が開示するクロージャ装置では、クロージャ部は固定板を介して物体に固定される。前記固定板は、クロージャ部の係合突起と係合可能な開口部を有する。前記開口部には、複数のばね・タング（舌）が設けられている。これらのばね・タングは、クロージャ部が固定板に装着される際に弾性的に後退し、クロージャ部の係合突起が固定板の開口部のエッジに確実に接続された後は、上記ばね・タングはそれらの通常位置に戻ることにより、通常位置において、係合突起同士の係合が解除されてしまうことを防ぐ。
【０００４】
特許文献２が開示するクロージャでは、第１クロージャ部にピンが設けられ、前記ピンは第２クロージャ部の係合用切欠きと係合可能である。装着の際は、前記ピンがブロッキング要素を脇へ押しやり、第１クロージャ部のピンが第２クロージャ部の係合用切欠きに係合された後は、ピンは通常位置に戻り、係合用切欠きに対するピンの係合がブロックされる。係合用切欠きからピンを取り外す際、ブロッキング要素を作動させてピンを開放し、係合用切欠きからピンを取り除くことができる。
【先行技術文献】
【特許文献】
【０００５】
【特許文献１】ＫＲ２０１９９６００９９１６Ｙ１
【特許文献２】ＤＥ４３１２０３２Ｃ２
【発明の概要】
【発明が解決しようとする課題】
【０００６】
クロージャ装置として、触覚的に良好で円滑なやり方で閉じることができ、閉じ位置における確実な保持及びそれによる接続すべき部品同士の安全な接続が保証され、快適かつ容易なやり方で開くことができるものが必要とされている。
【０００７】
本発明は、容易な閉じ動作、閉じ位置における確実な保持、及び容易な開き動作が可能なクロージャ装置を提供することを目的とする。
【課題を解決するための手段】
【０００８】
前記目的は、請求項１に記載の特徴を備える主題により達成される。
【０００９】
これによれば、上述したようなクロージャ装置において、第１クロージャ部と第２クロージャ部との間に磁気機構が作用し、前記磁気機構は磁気吸引力を提供することにより第１クロージャ部と第２クロージャ部との装着をサポートするよう形成されている。
【００１０】
本発明に係るクロージャ装置は、２つのクロージャ部にそれぞれ係合突起を設けており、前記係合突起はアンダーカットにより形成され、特に、それぞれ対応するクロージャ部の基体に動かないように（starr）設けられ得る。クロージャ装置を閉じる際、係合突起を互いに係合させる。そのために、これらの係合突起は、第１係合突起が係合方向に押されて第２係合突起に確実に係合されるまで互いに対して移動することになる。閉じ位置では、係合突起がクロージャ部同士の確実な保持を生み出し、これにより、クロージャ装置は、クロージャ部が互いに離れることなく高負荷をかけられるようになる。
【００１１】
閉じ位置においてクロージャ部が互いに意図せず離れてしまうことを無くすために、ブロッキング要素がさらに設けられ、前記ブロッキング要素は、例えば、第２クロージャ部の基体に設けられた弾性ばね・タングとして、又は前記基体に弾性的に設けられたブロッキング部として形成される。第１クロージャ部が第２クロージャ部に装着される際は、ブロッキング要素が後退し、第１クロージャ部の第１係合突起が係合方向に押されて第２クロージャ部の第２係合突起に係合できる。装着の際には、このように、ブロッキング要素が脇へ押しやられ、第１係合突起が第２係合突起と係合するようにガイドされ得る状態となる。係合の確立中又は確立後には、ブロッキング要素はその通常位置に戻り、この通常位置では、前記ブロッキング要素が、第２係合突起に対する第１係合突起の確実な係合を係合方向に対してブロックする。第２係合突起における第１係合突起の保持、及びこれによる第２クロージャ部における第１クロージャ部の保持が確実となり、クロージャ装置を不注意で開いてしまうことがなくなる。
【００１２】
また、磁気機構が設けられ、例えば、前記磁気機構は、第１クロージャ部における磁石及び第２クロージャ部における磁石の形態で形成される。また、例えば、前記磁気機構は、一方のクロージャ部における「磁石」及び他方のクロージャ部における強磁性材料製成分の形態での「磁性電機子」の形態で形成される。磁気機構は、第１クロージャ部と第２クロージャ部との間に作用し、第１クロージャ部が第２クロージャ部に装着される際、これら磁気機構が磁気的に引き付け合うように連動し（協働し）、これにより、第１クロージャ部が引っ張られて第２クロージャ部と磁気的なサポートにより係合される。
【００１３】
磁気機構は、クロージャ部同士を装着する際に第２係合突起に対する第１係合突起の係合が概ね自動的になされるように寸法決めを行うと有利であり、特に、クロージャ部同士を装着する際にブロッキング要素の後退が磁気的なサポートにより概ね自動的になされるよう寸法決めを行うと有利である。このようにして、クロージャ部は閉じる際にそれほど正確でなくとも単に互いに装着すればよく、その後実際の閉じ動作は磁気的なサポートにより概ね自動的に進行するので、容易な閉じ動作のクロージャが提供される。
【００１４】
係合方向は、クロージャ装置が適切に使用された際にクロージャ部間に負荷が作用する方向である負荷方向に対応していると有利である。特に、負荷状況下では、負荷が第１クロージャ部に有利に作用して、第１係合突起を係合方向に引っ張って第２係合突起に係合させ、又は少なくとも第１係合突起に係合方向の負荷が与えられ、それにより、前記係合突起は第２係合突起と係合した状態で確実に保持される。
【００１５】
ブロッキング要素は、例えば、第２クロージャ部の基体に設けられたブロッキング・タング(舌)により実現され得る。前記ブロッキング・タングは、第１クロージャ部が第２クロージャ部に装着される際、係合方向に対して横（トランスバース）方向に通常位置から弾性的に後退し、係合の確立中又は確立後には通常位置に再び戻るように形成される。ブロッキング・タングは、例えば射出成型されたプラスチック部品として製造された基体と動かないように形成すると有利であり、前記ブロッキング・タングは、特に、係合方向に延在し、係合方向に対して横方向に弾性を持つように弾性的に設計される。クロージャ装置を閉じる際、第１クロージャ部に設けられた第１係合突起又はブロッキング・ノーズは、ブロッキング・タングに沿ってガイドされ、それにより前記ブロッキング・タングに作用して、前記ブロッキング・タングが弾性設計した方向に弾性的に脇へ押しやられ、その結果第１係合突起が第２係合突起と係合可能となる。係合が確立されると、ブロッキング・タングはその通常位置に戻り、その位置で、第１係合突起に対して又は第１クロージャ部に別途設計されたブロッキング・ノーズに対して作用することにより、第２係合突起に対する第１係合突起の係合をブロックする。ブロッキング要素は、係合方向の方向に剛性を有するよう、すなわち、非弾性的に設計されており、それにより、係合が効果的にブロックされ、また、特に、第１係合突起が係合方向の反対方向に移動して第２係合突起から外れてしまうということが容易には起こらなくなる。
【００１６】
ブロッキング要素は、第１係合突起と第２係合突起との係合の確立中に、又は係合の確立後にのみ、通常位置に再び戻るように設計し得る。ブロッキング要素は、例えば、係合が確立されるとすぐに（すなわち、係合の確立後）通常位置に跳ね返るようにすることが可能である。しかし、係合の確立中にすでにブロッキング要素がその弾性的設計によるプレストレス（プリテンション）を第１クロージャ部に対して与え、前記プレストレス（プリテンション）により第１係合突起を係合方向に押圧して第２係合突起と係合させることも可能であり、このように、係合の確立中にすでに前記係合動作をサポートしてもよい。
【００１７】
閉じ位置では、第１クロージャ部の第１係合突起は、第２クロージャ部の第２係合突起と確実に係合する。この係合はブロッキング要素によりブロックされる。つまり、前記ブロッキング要素は、第１クロージャ部が係合方向の反対方向に移動することを防止し、また、これにより、第１係合突起が係合方向の反対方向に移動することも防止し、第１係合突起が係合方向の反対方向に第２係合突起との係合から外れてしまわないようにする。クロージャ装置を開く際は、前記ブロックを解除することができ、開くための異なる複数の作動変形例が考えられ、可能である。また、上記ブロックの解除を別途必要とすることなく、第１係合突起と第２係合突起との係合を外すこともできる。
【００１８】
第１の変形例では、クロージャ装置は次のような作動機構を含み得る。この作動機構は、作動時にブロッキング要素に作用してブロッキング要素を通常位置から移動させることにより、第１係合突起と第２係合突起との間の係合のブロックを解除する。作動機構を作動させることにより、ブロッキング要素は脇へ押しやられ、第１係合突起又はブロッキング・ノーズが係合方向の反対方向に第２係合突起から外れるための通路が空けられるので、第１クロージャ部を第２クロージャ部から取り外すことができるようになる。
【００１９】
特に、前記作動機構は、例えば、ブロッキング要素と動かないように形成されたハンドル、又は別体の可動作動部とすることができる。
【００２０】
第２の変形例では、クロージャ装置を開くための次のような作動機構を設け得る。この作動機構は、作動時に閉じ位置においてブロッキング要素と連動してブロックを行うよう第１クロージャ部に設けられたブロッキング・ノーズを移動させるよう形成され、前記ブロッキング・ノーズを移動させることにより第１係合突起と第２係合突起との間の係合のブロックを解除する。このように、ブロッキング要素を移動させるのではなく、第１クロージャ部のブロッキング・ノーズをブロッキング要素の領域外へ移動させることにより、第２クロージャ部に対する第１クロージャ部の係合方向の反対方向への移動に対するブロックを解除する。このように、ブロッキング・ノーズを移動させることにより、第１クロージャ部が第２クロージャ部に対して係合方向の反対方向に移動することが可能となり、それにより、第１クロージャ部を第２クロージャ部から取り外すことができる。
【００２１】
例えば、前記作動機構は、第１クロージャ部の基体にピボット軸を中心としてピボット運動可能に設けられたレバー要素を含み得る。前記レバー要素には、１つ以上のブロッキング係合要素が特にブロッキング・ノーズのような突起の形態で設けられ得る。前記ブロッキング係合要素は、閉じ位置において、第２クロージャ部におけるブロッキング要素とブロックして係合することにより、第１クロージャ部の第１係合突起と第２クロージャ部の第２係合突起との係合を係合方向に対してブロックする。前記レバー要素をそれに設けられたブロッキング係合要素とともに移動させることにより、前記ブロッキング係合要素がそのブロッキング位置から第２クロージャ部のブロッキング要素に対して移動するため、前記ブロックを解除することができる。このように、レバー要素を作動させることにより、第１クロージャ部と第２クロージャ部との間のブロックを解除することができ、その結果、第１クロージャ部を第２クロージャ部に対して係合方向の反対方向に移動させて第２クロージャ部から取り外すことができる。
【００２２】
前記レバー要素は、例えば、金属、特に強磁性の板金（ferromagnetischen Blech）により形成し得る。この場合、レバー要素の作動後に、前記レバー要素は第１クロージャ部に設けられた磁石の磁気的な効果によりスタート位置に自動的に戻ることができ、それにより今度は、クロージャ装置を閉じる際に、第１クロージャ部が第２クロージャ部に取り付けられ得る。
【００２３】
前記の代わりに、又は前記に加えて、第１クロージャ部の基体に対してレバー要素を付勢するための機械的なばねを設けることも考え得る。
【００２４】
有利な実施形態では、レバー要素にレバー・ポーションが設けられ、前記レバー・ポーションは、クロージャ装置を開くためにレバー要素をピボット運動させる際、第２クロージャ部と動作結合（Wirkverbindung）し、第２クロージャ部に対して相対的に係合方向の反対方向の力を第１クロージャ部に生じさせる。このように、前記レバー・ポーションの機構により、開き動作をサポートできる。つまり、クロージャ装置を開くためにレバー要素を作動させると、レバー要素の少なくとも１つのブロッキング係合要素と第２クロージャ部のブロッキング要素とのブロックが解除されるだけでなく、クロージャ部間に力が生じ、それにより、第１クロージャ部と第２クロージャ部との間の係合が外れる。したがって、レバー要素の作動時に、レバー・ポーションは、例えば、クロージャ装置を開くために第２クロージャ部の基体の開口部に入り込み、前記開口部のエッジ部分に接触し、これにより、第１クロージャ部が第２クロージャ部に対して係合方向の反対方向にシフト移動する。
【００２５】
前記レバー要素のレバー・ポーションは、前記レバー要素をそのスタート位置へとリセットする役割を果たすこともでき、スタート位置では、第１クロージャ部が第２クロージャ部に装着されたときに、レバー要素における少なくとも１つのブロッキング係合要素が第２クロージャ部のブロッキング要素にブロック接触し得る。
【００２６】
第１クロージャ部にこのような作動機構を備えたクロージャ装置は、原理的には、純粋に機械的に、すなわち、第１クロージャ部と第２クロージャ部とに磁気機構を設けることなく形成することもできる。例えば、そのような、２つの部品を取外し可能に、すなわち、取外し自在（loesbar）に接続するためのクロージャ装置は概して以下のような特徴を有し得る：
第１クロージャ部及び第２クロージャ部を備えており、前記クロージャ装置を閉じるために前記第１クロージャ部は前記第２クロージャ部に装着可能であり、前記第１クロージャ部は閉じ位置において前記第２クロージャ部に保持されており、
前記第１クロージャ部は第１係合突起を、前記第２クロージャ部は第２係合突起を備えており、閉じる際に、前記第１係合突起は前記第２係合突起に対して係合方向に係合可能であり、閉じ位置では、前記第１係合突起は前記第２係合突起と確実に係合し、
前記第２クロージャ部にはブロッキング要素が設けられており、前記第１クロージャ部が前記第２クロージャ部に装着される際に、前記ブロッキング要素は前記第１クロージャ部と連動することにより通常位置から移動し、それにより、前記第１係合突起は前記第２係合突起に対して係合方向に係合可能となり、係合の確立中又は確立後には、前記ブロッキング要素はその通常位置に戻り、それにより、通常位置において、前記第２係合突起に対する前記第１係合突起の確実な係合が係合方向に対してブロックされ、
クロージャ装置を開くための作動機構が形成されており、作動の際、閉じ位置においてブロッキング要素と連動してブロックを行うように第１クロージャ部に設けられたブロッキング係合要素が移動するようになっており、前記ブロッキング係合要素を移動させることにより第１係合突起と第２係合突起との係合のブロックが解除され、前記作動機構は第１クロージャ部の基体にピボット軸を中心としてピボット運動可能に設けられたレバー要素を含み、前記レバー要素には、閉じ位置においてブロッキング要素と連動するよう少なくとも１つのブロッキング係合要素が設けられている。
【００２７】
第３の変形例では、第１クロージャ部は全体として又はその一部は、クロージャ装置を開くために第２クロージャ部に対して移動させることができ、それにより、第１係合突起と第２係合突起との係合のブロック及び／又は第１係合突起と第２係合突起との確実な係合を解除することができる。このように、第１クロージャ部を第２クロージャ部に対して移動させることにより、第１クロージャ部の係合方向の反対方向への移動に対するブロックを解除することができる。つまり、第１クロージャ部を移動させることにより、第１クロージャ部に設けられたブロッキング・ノーズ又は係合突起がブロッキング要素の領域外へ移動し、それにより、係合方向の反対方向への移動が可能となる。しかし、第１クロージャ部又はその一部を移動させることにより、第１係合突起がシフト、回転、又はピボット運動により第２係合突起との係合から外れるよう接線方向（tangential）に移動し、この移動により、第２係合突起に対する第１係合突起の係合が解除される。係合が解除されると、クロージャ部を互いから取り外すことができる。ここでは、第１クロージャ部又はその一部を移動させることにより、ブロック及び係合の両方を解除するような組合せも考え得る。
【００２８】
クロージャ装置を開くための第１クロージャ部又はその一部の移動は、直線経路に沿って直線的に行うこともでき、回転により行うこともできる。特に、第１の変形例では、例えば、作動ノブ又は作動スライドなどの種々の作動機構が考えられ、可能である。いくつかのブロッキング・ノーズを第１クロージャ部に設ける場合、特に、それぞれ独立して作動可能ないくつかの作動機構を設けて、関連するブロッキング要素又はブロッキング・ノーズにそれぞれ作用させることも可能である。
【００２９】
作動機構が作動される作動方向は、例えば、係合方向に対してトランスバース（横）方向に方向付け得る。しかし、作動機構は、係合方向に沿って方向付けられた作動方向（係合方向と同じ向き又は係合方向の反対方向）に作動させることも考え得る。作動方向は、便利で、用途に適合した、ユーザにとって容易な動作が得られるように選択されるべきである。クロージャ装置を開くために第１クロージャ部又はその一部を第２クロージャ部に対して移動させる際、さらなる実施形態では、第１クロージャ部及び／又は第２クロージャ部に斜面を設け得る。前記斜面は、第１クロージャ部又はその一部が移動する際、第１クロージャ部及び第２クロージャ部が前記斜面に沿って互いに乗り上げ、第１クロージャ部が第２クロージャ部から係合方向に垂直な方向に離間するように設計される。前記離間は、特に、クロージャ装置を閉じる際に第１クロージャ部が第２クロージャ部に装着されるおおよその方向である閉じ方向の反対方向になされ得る。この閉じ方向においては、磁気機構は引き付け合うよう作用しているが、開く際に斜面の機構によるサポートでクロージャ部が離間されることにより、前記磁気機構同士が離れ、それにより同時に、作用している磁力も弱められる。これにより、クロージャ装置の単純かつ容易で快適な開き動作をサポートする。
【００３０】
閉じ位置では、ブロッキング要素は第２係合突起に対する第１係合突起の係合をブロックするので、第１係合突起が係合方向の反対方向に移動して第２係合突起との係合から外れてしまうことが簡単には起こらなくなる。第１クロージャ部に対して係合方向の反対方向に作用する限界力が超過されると、ブロッキング要素が第１係合突起と第２係合突起との係合の位置を解除する。このために、例えばわずかな傾斜をブロッキング要素に設けることができ、これにより、限界力の超過時に、第１クロージャ部のブロッキング・ノーズ又は第１係合突起がブロッキング要素に乗り上げてこれを脇へ押しやり、第１係合突起を係合方向の反対方向に第２係合突起との係合から外すことができる。このようにブロッキング要素は、限界力未満の係合方向の反対方向に作用する力だけで係合をブロックする。前記限界力を超過すると、ブロッキング要素は脇へ押しやられ、クロージャ装置を開くことができる。
【００３１】
第１クロージャ部及び／又は第２クロージャ部は下記のように設計された乗上げスロープ（Auflaufschraege）を含むと有利である。すなわち、係合方向とは異なる閉じ方向に第１クロージャ部が第２クロージャ部に装着される際、第１係合突起が第２係合突起に乗り上げて第１クロージャ部が係合方向の反対方向に押され、それにより、第１係合突起が第２係合突起に対して係合方向に係合するに至るようになっている。閉じ方向は、例えば、係合方向に対してトランスバース（横）方向に方向付けられる。前記乗上げスロープは傾斜面を形成しており、前記傾斜面は、閉じ方向及び係合方向に対して例えば（前記傾斜面に垂直な面を基準として）３０°〜６０°、特に４５°の角度に方向付けられている。このような乗上げスロープは、クロージャ部同士の装着を容易にする。特に、係合突起が両クロージャ部の基体に剛性要素として形成される場合、係合突起は係合されるために互いに対して移動しなければならず、このために、（アンダーカットにより形成された）第１係合突起を第２係合突起に対して係合方向の反対方向に移動させて、前記アンダーカットにより形成された係合突起同士が係合できるようにする。このような係合方向の反対方向の移動は前記乗上げスロープによってサポートされ、係合突起同士が係合可能となるまで両クロージャ部が乗上げスロープに沿って互いにスライドする。
【００３２】
クロージャ装置を係合方向とは異なる閉じ方向に閉じることができるというのは、日常の使用において大いに利点がある。特許文献２に開示されたクロージャでは、例えば、ピン及び係合用切欠きは、比較的正確に係合方向に互いに係合させなければならず、例えば、暗い場所では困難となり得る。
【００３３】
前記磁気機構は、第１クロージャ部の第１磁石と第２クロージャ部の第２磁石とにより有利に形成し得る。これらの磁石は両クロージャ部に有利に設けられ、これにより、第２クロージャ部に対して第１クロージャ部が装着される際、磁石同士が磁気的に引き付け合うが、閉じ位置では第１磁石と第２磁石とが係合方向から見て互いにオフセットされており（ずれており）、閉じ位置において磁気吸引力が第１クロージャ部に係合方向に作用するようになっている。磁気機構はこのようにしてクロージャ部間にプレストレス（プリテンション）を与え、第１係合突起を係合方向に引っ張って第２係合突起に係合させようとする。これにより、係合が磁気的にサポートされ、第２係合突起における第１係合突起の保持も磁気的にサポートされる。したがって、第１クロージャ部の磁石は係合方向から見て第２クロージャ部の磁石の前に設けられており、それにより、磁石間の磁気吸引力が少なくとも係合方向の力の成分を有するようになっている。
【００３４】
原理的には、前記磁気機構は閉じ方向に磁気的に引き付け合う効果を有しており、前記閉じ方向は、例えば係合方向にほぼ垂直に方向付け得る。したがって、前記磁気機構の作用により、クロージャ部同士は装着時に閉じ方向に引き付け合う。このときの磁気機構間の力は、第１クロージャ部の第１係合突起が第２クロージャ部の第２係合突起に対して磁気的なサポートにより係合されるように作用し、このようにしてクロージャ装置の閉じ動作は大部分が磁気的なサポートにより自動的に行われることになる。
【００３５】
第１クロージャ部における第１係合突起及び第２クロージャ部における第２係合突起は、クロージャ装置の負荷状況下において係合の強化が得られるように、有利に形成・設計される。例えば、第１クロージャ部及び第２クロージャ部の各々には、Ｖ字状となるよう互いに鋭角をなして延在する２つの係合突起を設け得る。前記Ｖ字の先端は係合方向を向いており、係合方向は好ましくは負荷方向にも相当しているので、負荷状況下では、第２クロージャ部の係合突起における第１クロージャ部の係合突起の保持が強化される。
【００３６】
また、前記Ｖ字形状は、さらに２つの局面において利点がある。１つ目は、Ｖ字状配置により、前記Ｖ字形状が規定する角度の範囲内における負荷方向とは異なる方向の力同士が第１係合突起と第２係合突起との確実な接続により吸収されるという利点がある。２つ目は、前記Ｖ字形状は安定しており、閉じ位置においてクロージャに作用する閉じ方向を中心としたピボット力を（係合突起の深さと比較して）比較的大きな有効幅で吸収できるという利点がある。ここでの有効幅はおおよそ前記Ｖ字状係合突起の負荷方向幅となる。
【００３７】
しかし、原理的には、第１クロージャ部及び第２クロージャ部における係合突起をその他の形状とすることも考え得る。例えば、第１係合突起及び第２係合突起をそれぞれ円弧形状に設計し得る。
【００３８】
前記Ｖ字形状又は円弧形状には、Ｖ字状突起又は円弧状突起において接続された係合突起同士の安定性が単純な直線型係合突起に比べて向上し得るという利点もある。
【００３９】
各クロージャ部には、係合方向に沿って互いにオフセットした（ずらした）いくつかの係合突起を設けることも考えられ、可能である。そのような係合突起は、各クロージャ部に一列に又はマトリックス状に配置し得るものであり、閉じる際に、いくつかの係合突起が互いに係合するようになっている。ブロッキング要素の数は係合突起の数に対応する必要はない。原理的には、１つのブロッキング要素で、第１クロージャ部の第２クロージャ部に対する係合方向の反対方向への動きをブッロクするには十分である。しかし、いくつかのブロッキング要素を有利に設けることもできる。
【００４０】
係合突起は、例えば、各クロージャ部に周期的に又はいくつかのグループで配置して、これらクロージャ部をいくつかの異なる位置で互いに係合させることもできる。特に、そのような係合突起を、一列に又はマトリックス状に配置したＶ字状係合突起又は円弧状係合突起のグループにより実現することもできる。
【００４１】
負荷方向に負荷がかかった状態で係合突起同士の確実な接続が有利に強化されるという点は、例えばバックパックでの使用など多くの異なる変形例で分かるように、従来の押込み型バックルに対する本質的な機能的差異となる。押込み型バックルの原理は、とりわけ、２つのクロージャ部が負荷方向とは逆方向の差込み方向において互いに装着されるというものである。このような機構では、クロージャの耐負荷性は、弾性的に設計する必要がある掛け金要素の安定性に依存する。一方、負荷方向が、特に剛性を有する２つの係合部同士の確実な接続を有利に強化する方向となっているクロージャは、高い安定性と高い耐負荷性とを有する。したがって、このようなクロージャは、例えばヘルメットのクロージャ又は安全ベルトなどの安全関連の用途、特に、チャイルドシート又はベビーカーにおいて、技術的視点のみならずユーザの心理的視点からも非常に役立つものである。
【００４２】
有利な実施形態では、第１クロージャ部及び第２クロージャ部は構造的に同一である。この場合、例えばプラスチック射出成型の機構により、１つのツールだけで非常に簡単に製造することができ、閉じる際には、クロージャ部同士を互いに逆にして装着し、第１クロージャ部の第１係合突起を第２クロージャ部の第２係合突起に係合させる。
【００４３】
さらなる実施形態では、第１クロージャ部及び／又は第２クロージャ部はハウジングに格納可能に設けられ、格納位置ではクロージャ部が少なくとも部分的にハウジングに囲まれるようになっており、第１クロージャ部を第２クロージャ部に装着して第１係合突起と第２係合突起とを係合させる際には、クロージャ部がその格納位置から延出される。このように、前記格納位置では、各クロージャ部が少なくとも部分的にハウジング内に格納されるので、特に、係合突起は外部に飛び出ないか、又は一部分しか外部に飛び出なくなる。クロージャ部同士を接続する際、クロージャ部同士の装着を行う間は、特にクロージャ部間の磁気機構の作用によりクロージャ部が延出され、前記延出位置において係合突起同士の係合が確立され、それにより、クロージャ装置を閉じることができる。
【００４４】
これは物体同士を確実に係合させることが要求される場合に特に有利であり、クロージャが開いているときに留め具が外部に飛び出て邪魔になることがない。
【００４５】
前記目的は、負荷方向に沿って張力がかかる２つのベルトを接続するためのベルトバックルによっても解決される。このようなベルトバックルは、
第１クロージャ部及び第２クロージャ部を備えており、クロージャ装置を閉じるために前記第１クロージャ部を前記第２クロージャ部に装着可能であり、前記第１クロージャ部は閉じ位置において前記第２クロージャ部に保持されており、
前記第１クロージャ部は第１係合突起を、前記第２クロージャ部は第２係合突起を備えており、閉じる際に、前記第１係合突起は前記第２係合突起に対して係合方向に係合可能であり、閉じ位置では、前記第１係合突起は前記第２係合突起と確実に係合し、
前記第２クロージャ部には、ブロッキング要素が設けられており、前記第１クロージャ部が前記第２クロージャ部に装着される際に、前記ブロッキング要素は前記第１クロージャ部と連動することにより通常位置から移動し、それにより、前記第１係合突起は前記第２係合突起に対して係合方向に係合可能となり、係合の確立中又は確立後には、前記ブロッキング要素はその通常位置に戻り、それにより、通常位置において、前記第２係合突起に対する前記第１係合突起の確実な係合が係合方向に対してブロックされるブロッキング要素を備えている。
【００４６】
さらに、第１クロージャ部及び／又は第２クロージャ部にはベルトを固定するためにベルトウエビング（生地）受けが設けられ、負荷状況下において、負荷方向に沿って負荷力が各クロージャ部に作用し、第1クロージャ部には係合方向に第２クロージャ部に対する負荷がかかるようになっている。
【００４７】
純粋に機能的な意味では、前記ベルトバックルは上述のクロージャ装置に相当し、前記ベルトバックルは純粋に機械的な非磁性のクロージャ装置として設計することもできる。しかし、前記ベルトバックルは、閉じ動作をサポートするための磁気機構を有利に含むこともでき、前記説明がそのようなベルトバックルにも当てはまる。
【００４８】
前記ベルトバックルは、張力がかかることになるベルト同士をクロージャ部同士の（取外し可能な）接続により互いに接続するクロージャ装置に相当する。負荷方向は係合方向に沿って方向付けられ、両ベルトに張力がかかった際にクロージャ部同士の保持が強化されるようになっており、これにより、負荷状況下において、ベルトバックルは容易には開かなくなる。クロージャ部同士の係合はブロッキング要素によりさらに固定されるので、負荷がかかった状態でも負荷がかかっていない状態でも不慮の取外しが容易には起こらなくなる。
【図面の簡単な説明】
【００４９】
本発明に含まれるアイデアは、各図に示す例示的な実施形態を参照して以下に詳述される。
【図１Ａ】クロージャ装置の第１の例示的な実施形態の斜視図を示す。
【図１Ｂ】クロージャ装置の第１の例示的な実施形態の異なる斜視図を示す。
【図２Ａ】図１Ａにおいて作動機構を装着した場合の斜視図を示す。
【図２Ｂ】図１Ｂにおいて作動機構を装着した場合の斜視図を示す。
【図３Ａ】ある位置におけるクロージャ装置の上面図を示す。
【図３Ｂ】別の位置におけるクロージャ装置の上面図を示す。
【図３Ｃ】別の位置におけるクロージャ装置の上面図を示す。
【図３Ｄ】別の位置におけるクロージャ装置の上面図を示す。
【図３Ｅ】別の位置におけるクロージャ装置の上面図を示す。
【図３Ｆ】別の位置におけるクロージャ装置の上面図を示す。
【図３Ｇ】別の位置におけるクロージャ装置の上面図を示す。
【図４Ａ】図３ＡにおけるＣ−Ｃ線に沿った断面図を示す。
【図４Ｂ】図３ＢにおけるＣ−Ｃ線に沿った断面図を示す。
【図４Ｃ】図３ＣにおけるＣ−Ｃ線に沿った断面図を示す。
【図４Ｄ】図３ＤにおけるＣ−Ｃ線に沿った断面図を示す。
【図４Ｅ】図３ＥにおけるＣ−Ｃ線に沿った断面図を示す。
【図４Ｆ】図３ＦにおけるＣ−Ｃ線に沿った断面図を示す。
【図４Ｇ】図３ＧにおけるＣ−Ｃ線に沿った断面図を示す。
【図５Ａ】図３ＡにおけるＤ−Ｄ線に沿った断面図を示す。
【図５Ｂ】図３ＢにおけるＤ−Ｄ線に沿った断面図を示す。
【図５Ｃ】図３ＣにおけるＤ−Ｄ線に沿った断面図を示す。
【図５Ｄ】図３ＤにおけるＤ−Ｄ線に沿った断面図を示す。
【図５Ｅ】図３ＥにおけるＤ−Ｄ線に沿った断面図を示す。
【図５Ｆ】図３ＦにおけるＤ−Ｄ線に沿った断面図を示す。
【図５Ｇ】図３ＧにおけるＤ−Ｄ線に沿った断面図を示す。
【図６Ａ】クロージャ装置の第２の例示的な実施形態の分解斜視図を示す。
【図６Ｂ】クロージャ装置の第２の例示的な実施形態の分解斜視図を示す。
【図７Ａ】ある位置におけるクロージャ装置の上面図を示す。
【図７Ｂ】別の位置におけるクロージャ装置の上面図を示す。
【図７Ｃ】別の位置におけるクロージャ装置の上面図を示す。
【図７Ｄ】別の位置におけるクロージャ装置の上面図を示す。
【図７Ｅ】別の位置におけるクロージャ装置の上面図を示す。
【図７Ｆ】別の位置におけるクロージャ装置の上面図を示す。
【図８Ａ】図７Ａに係るＡ−Ａ線に沿った断面図を示す。
【図８Ｂ】図７Ｂに係るＡ−Ａ線に沿った断面図を示す。
【図８Ｃ】図７Ｃに係るＡ−Ａ線に沿った断面図を示す。
【図８Ｄ】図７Ｄに係るＡ−Ａ線に沿った断面図を示す。
【図８Ｅ】図７Ｅに係るＡ−Ａ線に沿った断面図を示す。
【図８Ｆ】図７Ｆに係るＡ−Ａ線に沿った断面図を示す。
【図９Ａ】クロージャ装置を下から見た図を示す。
【図９Ｂ】クロージャ装置を下から見た図を示す。
【図９Ｃ】クロージャ装置を下から見た図を示す。
【図９Ｄ】クロージャ装置を下から見た図を示す。
【図９Ｅ】クロージャ装置を下から見た図を示す。
【図９Ｆ】クロージャ装置を下から見た図を示す。
【図１０Ａ】クロージャ装置の第３の例示的な実施形態の分解斜視図を示す。
【図１０Ｂ】クロージャ装置の第３の例示的な実施形態の分解斜視図を示す。
【図１１Ａ】ある位置におけるクロージャ装置の上面図を示す。
【図１１Ｂ】別の位置におけるクロージャ装置の上面図を示す。
【図１１Ｃ】別の位置におけるクロージャ装置の上面図を示す。
【図１２Ａ】図１１ＡにおけるＡ−Ａ線に沿った断面図を示す。
【図１２Ｂ】図１１ＢにおけるＡ−Ａ線に沿った断面図を示す。
【図１２Ｃ】図１１ＣにおけるＡ−Ａ線に沿った断面図を示す。
【図１３Ａ】クロージャ装置のさらなる例示的な実施形態の分解斜視図を示す。
【図１３Ｂ】クロージャ装置のさらなる例示的な実施形態の分解斜視図を示す。
【図１４Ａ】ある位置におけるクロージャ装置の上面図を示す。
【図１４Ｂ】別の位置におけるクロージャ装置の上面図を示す。
【図１４Ｃ】別の位置におけるクロージャ装置の上面図を示す。
【図１４Ｄ】別の位置におけるクロージャ装置の上面図を示す。
【図１４Ｅ】別の位置におけるクロージャ装置の上面図を示す。
【図１５Ａ】図１４ＡにおけるＡ−Ａ線に沿った断面図を示す。
【図１５Ｂ】図１４ＢにおけるＡ−Ａ線に沿った断面図を示す。
【図１５Ｃ】図１４ＣにおけるＡ−Ａ線に沿った断面図を示す。
【図１５Ｄ】図１４ＤにおけるＡ−Ａ線に沿った断面図を示す。
【図１５Ｅ】図１４ＥにおけるＡ−Ａ線に沿った断面図を示す。
【図１６Ａ】クロージャ装置のさらなる例示的な実施形態の上面図を示す。
【図１６Ｂ】クロージャ装置のさらなる例示的な実施形態の上面図を示す。
【図１６Ｃ】クロージャ装置のさらなる例示的な実施形態の上面図を示す。
【図１６Ｄ】クロージャ装置のさらなる例示的な実施形態の上面図を示す。
【図１７Ａ】図１６ＡにおけるＡ−Ａ線に沿った断面図を示す。
【図１７Ｂ】図１６ＢにおけるＡ−Ａ線に沿った断面図を示す。
【図１７Ｃ】図１６ＣにおけるＡ−Ａ線に沿った断面図を示す。
【図１７Ｄ】図１６ＤにおけるＡ−Ａ線に沿った断面図を示す。
【図１８Ａ】開き位置におけるクロージャ装置の斜視図を示す。
【図１８Ｂ】クロージャ装置のクロージャ部の別の図を示す。
【図１９Ａ】ある位置におけるクロージャ装置のさらなる例示的な実施形態の斜視図を示す。
【図１９Ｂ】別の位置におけるクロージャ装置のさらなる例示的な実施形態の斜視図を示す。
【図１９Ｃ】別の位置におけるクロージャ装置のさらなる例示的な実施形態の斜視図を示す。
【図１９Ｄ】別の位置におけるクロージャ装置のさらなる例示的な実施形態の斜視図を示す。
【図１９Ｅ】別の位置におけるクロージャ装置のさらなる例示的な実施形態の斜視図を示す。
【図１９Ｆ】別の位置におけるクロージャ装置のさらなる例示的な実施形態の斜視図を示す。
【図２０】各クロージャ部が一列に並んだ係合突起を含む場合のクロージャ装置の部分断面図を示す。
【図２１】各クロージャ部がいくつかの係合突起を含み、これらの係合突起が各クロージャ部においてマトリックス状に配置されたクロージャ装置の例示的な実施形態の部分断面斜視図を示す。
【図２２Ａ】一方のクロージャ部を格納可能としたクロージャ装置のさらなる例示的な実施形態の分解斜視図を示す。
【図２２Ｂ】一方のクロージャ部を格納可能としたクロージャ装置のさらなる例示的な実施形態の分解斜視図を示す。
【図２３Ａ】ある位置におけるクロージャ装置の上面図を示す。
【図２３Ｂ】別の位置におけるクロージャ装置の上面図を示す。
【図２３Ｃ】別の位置におけるクロージャ装置の上面図を示す。
【図２３Ｄ】別の位置におけるクロージャ装置の上面図を示す。
【図２３Ｅ】別の位置におけるクロージャ装置の上面図を示す。
【図２４Ａ】図２３ＡにおけるＤ−Ｄ線に沿った断面図を示す。
【図２４Ｂ】図２３ＢにおけるＤ−Ｄ線に沿った断面図を示す。
【図２４Ｃ】図２３ＣにおけるＤ−Ｄ線に沿った断面図を示す。
【図２４Ｄ】図２３ＤにおけるＤ−Ｄ線に沿った断面図を示す。
【図２４Ｅ】図２３ＥにおけるＤ−Ｄ線に沿った断面図を示す。
【図２５Ａ】図２３ＡにおけるＣ−Ｃ線に沿った断面図を示す。
【図２５Ｂ】図２３ＢにおけるＣ−Ｃ線に沿った断面図を示す。
【図２５Ｃ】図２３ＣにおけるＣ−Ｃ線に沿った断面図を示す。
【図２５Ｄ】図２３ＤにおけるＣ−Ｃ線に沿った断面図を示す。
【図２５Ｅ】図２３ＥにおけるＣ−Ｃ線に沿った断面図を示す。
【図２６Ａ】レバー要素の形態で作動機構を備えたクロージャ装置のさらなる例示的な実施形態の分解図を示す。
【図２６Ｂ】レバー要素の形態で作動機構を備えたクロージャ装置のさらなる例示的な実施形態の分解図を示す。
【図２７Ａ】ある位置におけるクロージャ装置の上面図を示す。
【図２７Ｂ】別の位置におけるクロージャ装置の上面図を示す。
【図２７Ｃ】別の位置におけるクロージャ装置の上面図を示す。
【図２７Ｄ】別の位置におけるクロージャ装置の上面図を示す。
【図２８Ａ】図２７Ａに係るＢ−Ｂ線に沿った断面図を示す。
【図２８Ｂ】図２７Ｂに係るＢ−Ｂ線に沿った断面図を示す。
【図２８Ｃ】図２７Ｃに係るＢ−Ｂ線に沿った断面図を示す。
【図２８Ｄ】図２７Ｄに係るＢ−Ｂ線に沿った断面図を示す。
【発明を実施するための形態】
【００５０】
クロージャ装置１の第１の例示的な実施形態を図１Ａ、図１Ｂ、及び図２Ａ、図２Ｂにおいてそれぞれ異なる斜視図により示す。クロージャ装置１は第１クロージャ部２及び第２クロージャ部３を含み、それらはクロージャ装置１を閉じる際に概ね閉じ方向Ｘに互いに取り付けられることができる。閉じ位置では、第１クロージャ部２の係合突起２２０、２２１は第２クロージャ部３の係合突起３２０、３２１と機械的に係合し、これらの係合突起２２０、２２１、３２０、３２１の機構により、クロージャ部２、３が互いに保持される。
【００５１】
第１クロージャ部２は、ベルトを固定するためにベルトウエビング受け（Gurtbandaufnahme）２１が形成された基体２０を含む。第１クロージャ部２には、実質的に２つの係合突起２２０、２２１からなる係合機構２２が形成され、これら２つの係合突起はそれぞれ直線状に延在し互いにＶ字形状を形成する。前記係合突起２２０、２２１は、アンダーカットにより形成される。
【００５２】
第２クロージャ部３も同様に、ベルトを固定するためにベルトウエビング受け３１が搭載された基体３０を含む。前記第２基体３０には、係合突起３２０、３２１を含む係合機構３２が形成される。前記係合突起３２０、３２１も同様にアンダーカットにより形成され、閉じ位置では、第１クロージャ部２の係合突起２２０、２２１と係合する。
【００５３】
第１クロージャ部２には、２つのブロッキング・ノーズ２３、２４が形成される。前記ブロッキング・ノーズ２３、２４は、係合突起２２０、２２１から突出し、第２クロージャ部３のブロッキング要素３３、３４と連動してクロージャ装置１を閉じ位置にてブロックする役割を果たす。ブロッキング要素３３、３４は、第２クロージャ部３の基体３０に弾性ブロッキング・タングとして形成されており、係合突起２２０、２２１を備えた第１クロージャ部２が係合突起３２０、３２１を備えた第２クロージャ部３に係合される方向である係合方向Ｙ（例えば図１Ａ、図１Ｂ、図５Ｄを参照）に沿ってタング（舌）状に延在している。
【００５４】
第２クロージャ部３には、作動機構４が作動スライドの形態で設けられており、前記作動機構４は、係合方向Ｙに沿って基体３０に対してシフト移動可能であり、そのために保持要素４１（例えば図２Ｂ参照）で基体３０を収める。作動スライド形態の作動機構４は、作動ノーズ４２、４３を含み、前記作動ノーズ４２、４３は、ブロッキング要素３３、３４と連動して、クロージャ装置１のブロックを解除するようブロッキング要素３３、３４を作動させる役割を果たす。そのために、作動ノーズ４２、４３は、以下追って説明するように、ブロッキング要素３３、３４の乗上げスロープ３３０、３４０上に乗り上げることができる。作動スライド形態の作動機構４には、ガイド要素４４がさらに設けられ、これによって作動機構４は第２クロージャ部３の基体３０上を案内される。
【００５５】
以下に、クロージャ装置１の動作モードを、図３Ａ〜図３Ｇ、図４Ａ〜図４Ｇ、図５Ａ〜図５Ｇを参照して説明する。図３Ａ〜図３Ｇはクロージャ装置１の上面図を示し、図４Ａ〜図４Ｇは図３Ａ〜図３ＧのＣ−Ｃ線に沿った断面図を示し、図５Ａ〜図５Ｇは図３Ａ〜図３ＧのＤ−Ｄ線に沿った断面図を示す。これらの図において、クロージャ装置は異なる位置で示されており、「Ａ」、「Ｂ」、「Ｃ」等が付された各図はそれぞれ同一の位置を表している。
【００５６】
図３Ａ、図４Ａ、図５Ａに示すスタート位置において、クロージャ部２、３は互いに離れて存在している。クロージャ装置を閉じる際、第１クロージャ部２を第２クロージャ部３に閉じ方向Ｘに取り付けて、係合突起２２０、２２１、３２０、３２１同士及びそれぞれのクロージャ部２、３同士を機械的に係合する。
【００５７】
クロージャ部２、３同士の装着及び接続確立をサポートするために、各クロージャ部２、３に磁石２５、３５が設けられている。図４Ａの断面図から分かるように、これらの磁石２５、３５は異なる極で互いに向き合っており、クロージャ部２、３間で磁気吸引力が及ぼし合うようになっている。
【００５８】
クロージャ部２、３を閉じ方向Ｘに互いに取り付けると、第１クロージャ部２の係合突起２２０、２２１と第２クロージャ部３の係合突起３２０、３２１とが、これらの係合突起２２０、２２１、３２０、３２１に設けられた乗上げスロープ２２２、３２２によって互いに乗り上げ、第１クロージャ部２が第２クロージャ部３に対して係合方向Ｙの反対方向に後退し、第１クロージャ部２の係合突起２２０、２２１が第２クロージャ部３の係合突起３２０、３２１を通り過ぎて、係合突起２２０、２２１を備えた第１クロージャ部２が第２クロージャ部３の係合突起３２０、３２１に対して係合方向Ｙに係合するに至る。この様子を図３Ｂ、図４Ｂ、図５Ｂ、及び図３Ｃ、図４Ｃ、図５Ｃに示す。
【００５９】
係合突起２２０、２２１、３２０、３２１が互いに通り過ぎるところまで移動すると、図３Ｄ、図４Ｄ、図５Ｄに示すように、第１クロージャ部２が第２クロージャ部３に対して係合方向Ｙにシフト移動でき、それにより、第１クロージャ部２の係合突起２２０、２２１が第２クロージャ部３の係合突起３２０、３２１に係合する。第１クロージャ部２を第２クロージャ部３に取り付ける際、図５Ｃから分かるように、ブロッキング・ノーズ２３、２４を備えた第１クロージャ部２がそれぞれ対応するブロッキング要素３３、３４に作用し、取付けの結果、これらブロッキング要素３３、３４は弾性的に通常位置からそれて、それによって係合方向Ｙに対してトランスバース（横）方向に後退する。図５Ｄに示す閉じ位置では、ブロッキング・ノーズ２３、２４がブロッキング要素３３、３４に沿ってスライドした結果、それぞれ対応するブロッキング要素３３、３４を越えて係合方向Ｙに形成された開口部３４１に係合する。係合方向Ｙに対して剛性を有するように形成されたブロッキング要素３３、３４の機構により、第２クロージャ部３の係合突起３２０、３２１に対する第１クロージャ部２の係合突起２２０、２２１の係合がこのようにしてブロックされ、その結果、第２クロージャ部２は第２クロージャ部３に対して係合方向Ｙの逆方向には容易に動かず、したがって、第１クロージャ部２は第２クロージャ部３から容易に外れなくなる。
【００６０】
閉じ位置においてクロージャ装置１に適切に負荷がかかると、クロージャ部２、３間に負荷方向Ｆに沿って力が働くが（図５Ｄ参照）、これらの力は係合突起２２０、２２１、３２０、３２１同士の係合により確実かつ負荷に耐えるように吸収される。ブロッキング・ノーズ２３、２４と連動するブロッキング要素３３、３４の機構により、クロージャ装置１は偶然の開き動作に対してさらに安全なものとなる。
【００６１】
図４Ｄから分かるように、クロージャ部２、３には磁石２５、３５が設けられ、前記閉じ位置では両磁石は依然として係合方向Ｙに沿って互いにオフセットされている（ずれている）。このように、係合方向Ｙに沿って見ると、第２クロージャ部３の磁石３５は第１クロージャ部２の磁石２５よりも後方に配置されているので、閉じ位置であっても依然としてクロージャ部２、３間には係合方向Ｙの成分を有する磁気吸引力が働いている。その結果、閉じ位置において、第１クロージャ部２には第２クロージャ部３に対して係合方向Ｙに負荷がかかり、これにより、第１クロージャ部２の閉じ位置への移動及び第２クロージャ部３における第１クロージャ部２の保持が磁気的にサポートされる。
【００６２】
クロージャ装置１を開く場合、図３Ｅ、図４Ｅ、図５Ｅに示すように、作動スライド形態の作動機構４が作動され、作動スライド４は第２クロージャ部３の基体３０に対して係合方向Ｙに平行な作動方向Ｂにシフト移動する。これにより、作動スライド４の作動ノーズ４２、４３は、対応するブロッキング要素３３、３４の乗上げスロープ３３０、３４０に乗り上がり、図５Ｅに示すようにブロッキング要素３３、３４は係合方向Ｙに対してトランスバース（横）方向に押しやられる。これにより、図３Ｆ、図４Ｆ、図５Ｆ、及び図３Ｇ、図４Ｇ、図５Ｇに示すように、ブロッキング・ノーズ２３、２４が解除されることにより、クロージャ装置１のブロックが解除され、クロージャ部２、３を互いに取り外すことができる。
【００６３】
前記のような作動機構の設計は、特に、ユーザが開く際に必要な２つの動作（ブロッキング片によるブロックの解除及び係合突起同士の係合の解除）を１つの作動により行えるという点で利点がある。
【００６４】
クロージャ部２、３は、例えば、射出成型されたプラスチック部品として簡易な構成で設計できる。この場合、磁石２５、３５は、例えばネオジム磁石からなる追加部品としてクロージャ部２、３に装着される。
【００６５】
原理的には、磁石２５、３５を省略して純粋に機械的なクロージャ装置１を提供することもできる。この場合、クロージャ部２、３は手動で互いに装着及び係合される。
【００６６】
図６Ａ、図６Ｂ、図７Ａ〜図７Ｆ、図８Ａ〜図８Ｆ、図９Ａ〜図９Fはクロージャ装置１のさらなる例示的な実施形態を示す。このクロージャ装置１は、それぞれ１つの基体２０、３０を備えた第１クロージャ部２及び第２クロージャ部３を含み、前記基体２０、３０には係合突起２２０、２２１、３２０、３２１が形成される。クロージャ部２、３はそれぞれベルトウエビング受け２１、３１を備えている。第２クロージャ部３には、ブロッキング要素３３、３４が設けられる。
【００６７】
クロージャ装置の動作モードは前記の例示的な実施形態と同様なので、前記の説明を参照されたい。しかし、前記の例示的な実施形態とは異なり、この例示的な実施形態では、ばね要素４５を介して互いに接続された２つの作動部４０Ａ、４０Ｂを備えた作動機構４を含む。前記作動機構４は、例えば、プラスチック部品として一体的に設計し得る。作動機構４は第１クロージャ部２の受入れスペース２００に配置され、カバー２０１により受入れスペース２００内に保持される（分かりやすくするため、図７Ａ〜図７Ｆ、図８Ａ〜図８Ｆ、図９Ａ〜図９Ｆでは、ハウジングカバー２０１は示していない）。各作動部４０Ａ、４０Ｂにはブロッキング・ノーズ４００Ａ、４００Ｂが設けられ、各ブロッキング・ノーズは第１クロージャ部２の基体２０に設けられた空隙２００Ａ、２００Ｂを通って延在する。
【００６８】
クロージャ装置１の動作モードは、クロージャ装置１をそれぞれ異なる位置で示す図７Ａ〜図７Ｆ、図８Ａ〜図８Ｆ、図９Ａ〜図９Ｆにより把握できる。
【００６９】
閉じる際、クロージャ部２、３は閉じ方向Ｘに互いに取り付けられ、係合突起２２０、２２１、３２０、３２１における乗上げスロープ２２２、３２２同士が互いに乗り上げ、そして前記説明と類似して、係合突起２２０、２２１、３２０、３２１が互いを通り過ぎるように移動する（図７Ａ、図８Ａ、図９Ａ参照）。
【００７０】
ブロッキング・ノーズ４００Ａ、４００Ｂは、装着中は、作動部４０Ａ、４０Ｂを互いに押し離しているばね要素４５により生じるプレストレス（プリテンション）（Ansetzen）により、それぞれ対応する空隙２００Ａ、２００Ｂ内における外側位置にあり、装着中にブロッキング要素３３、３４に当接し、それによって前記ブロッキング要素３３、３４はそれぞれの静止位置から押し付けられる（図７Ｂ、図８Ｂ、図９Ｂ）。
【００７１】
第１クロージャ部の係合突起２２０、２２１が第２クロージャ部３の係合突起３２０、３２１を閉じ方向Ｘに通り過ぎると、係合突起２２０、２２１は、第２クロージャ部２の係合突起３２０、３２１に対して係合方向Ｙに係合することができる（図７Ｃ、図８Ｃ、図９Ｃ）。
【００７２】
閉じ位置では、第１クロージャ部２の係合突起２２０、２２１は、第２クロージャ部３の係合突起３２０、３２１に係合し、第１クロージャ部２が第２クロージャ部３において機械的に保持される。
【００７３】
第１クロージャ部２が第２クロージャ部３に対して係合方向Ｙに移動して係合突起２２０、２２１、３２０、３２１同士を係合させる際、ブロッキング・ノーズ４００Ａ、４００Ｂもそれぞれ対応するブロッキング要素３３、３４に沿って移動する。そして閉じ位置では、ブロッキング・ノーズ４００Ａ、４００Ｂはブロッキング要素３３、３４を越えて開口部３３１、３４１内に位置することになる（図８Ｃ参照）。その結果、クロージャ装置１は、ブロッキング・ノーズ４００Ａ、４００Ｂと、これらと連動するブロッキング要素３３、３４のメカニズムによりブロックされ、これにより係合突起２２０、２２１、３２０、３２１同士の係合が確保される。
【００７４】
クロージャ装置１を開く際には、作動機構４の作動部４０Ａ、４０Ｂは互いに向けて作動方向Ｂに押される（図７Ｄ、図８Ｄ、図９Ｄ）。作動部４０Ａ、４０Ｂに設けられたブロッキング・ノーズ４００Ａ、４００Ｂはこれにより係合方向Ｙに対して横方向にブロッキング要素３３、３４の領域外へと移動し（図９Ｄ）、その結果、係合突起２２０、２２１が設けられた第１クロージャ部２は、その移動がブロッキング要素３３、３４にブロックされることなく、第２クロージャ部３に対して係合方向Ｙの反対方向に移動できる。
【００７５】
対応する空隙２００Ａ、２００Ｂ内のブロッキング・ノーズ４００Ａ、４００Ｂが互いに向けて（作動方向Ｂ、図７Ｅ、図８Ｅ、図９Ｅ参照）さらに押されると、ブロッキング・ノーズ４００Ａ、４００Ｂが第２クロージャ部２のＶ字状の係合突起３２０、３２１に対して作動方向Ｂに作用して、第１クロージャ部２を係合方向Ｙの反対方向に第２クロージャ部３から離間するように押すことで、クロージャ部２、３同士の取外しが機械的にサポートされる。
【００７６】
装置のブロックを解除し、クロージャ部２、３が互いに解放された後、第１クロージャ部２は第２クロージャ部３から取り除くことができる（図７Ｆ、図８Ｆ、図９Ｆ）。
【００７７】
前記の例示的な実施形態では、磁気機構２５、３５が同様に設けられ、クロージャ部２、３同士の装着を閉じ方向Ｘに磁気的にサポートする。この接続については、図１〜図５に係る第１の例示的な実施形態での態様を参照されたい。
【００７８】
図６〜図９を参照して説明された例示的な実施形態では、作動機構４は２つの分離・独立して作動可能な作動部４０Ａ、４０Ｂを備えて形成されている。クロージャ装置１を開く際、これらの作動部４０Ａ、４０Ｂを閉じ方向Ｘに対してトランスバース方向であり、かつ係合方向Ｙに対してトランスバース方向である作動方向Ｂに沿って互いに向けて移動させることにより、ブロッキング・ノーズ４００Ａ、４００Ｂをそのブロック位置から外れるようブロッキング要素３３、３４に対して移動させなければならない。
【００７９】
図１０Ａ、図１０Ｂ、図１１Ａ〜図１１Ｃ、図１２Ａ〜１２Ｃに示すクロージャ装置１のさらなる例示的な実施形態では、第１クロージャ部２は第１係合突起２２０を含み、第２クロージャ部３は第２係合突起３２０を含む。第２クロージャ部３には、ブロッキング要素３３がばね・タング（舌）の形態で設けられ、第２クロージャ部３の基体３０に弾性的に接続されている。
【００８０】
クロージャ装置１の動作モードは、クロージャ装置１をそれぞれ異なる位置で示す図１１Ａ〜図１１Ｃ、図１２Ａ〜図１２Ｃにより把握できる。
【００８１】
閉じる際（図１１Ａ、図１２Ａ）、第１クロージャ部２は第２クロージャ部３に対して閉じ方向Ｘに取り付けられ、このとき、乗上げスロープを備えた係合突起２２０、３２０は互いに乗り上げ、それにより、第１クロージャ部２は第２クロージャ部３に対して係合方向Ｙ（閉じ方向Ｘに対して垂直な方向）の反対方向にオフセットされている（ずれている)。第１クロージャ部２の第１係合突起２２０は第２クロージャ部３のブロッキング要素３３にも作用して、ブロッキング要素３３が概ね閉じ方向Ｘに後退し、これにより、第１クロージャ部２の係合突起２２０を第２クロージャ部３の係合突起３２０に係合させることができる。
【００８２】
第１クロージャ部２及び第２クロージャ部３には、磁石２５、３５が設けられ、磁気吸引力を提供して、両磁石はクロージャ部２、３同士の装着を磁気的にサポートしている。
【００８３】
閉じ位置（図１１Ｂ、図１２Ｂ）では、第１クロージャ部２の係合突起２２０は、図１２Ｂに示すように、第２クロージャ部３の係合突起３２０に確実に係合されている。閉じ位置では、ブロッキング要素３３はその通常位置にあり、このときブロッキング要素３３は係合方向Ｙに沿って延在し、係合方向Ｙの反対方向への動きに対して第１クロージャ部２の第１係合突起２２０をブロックする。この場合、係合突起２２０は、ブロッキング要素３３の自由端部分にある開口部３３１内に係合する。
【００８４】
開く際、第１クロージャ部２は、閉じ方向Ｘに対してトランスバース方向（quer）かつ係合方向Ｙに対してトランスバース方向(quer)である開き方向Ｚに第２クロージャ部３の切欠き３３２へとシフト移動することができ、それにより、第１クロージャ部２の係合突起２２０はブロッキング要素３３の領域から取りはずされ、それと同時に係合突起２２０は係合突起３２０との係合が外れるよう移動する。第２クロージャ部３の係合突起３２０は第１クロージャ部２の溝型切欠き２２４（図１０Ａ）内をスライドし、それにより係合突起２２０、３２０同士の係合が外れる。
【００８５】
第１クロージャ部２の開き方向Ｚへの開き動作により、係合突起２２０がブロッキング要素３３の領域から取り外されるので、ブロッキング要素３３によるブロックが解除される。その一方で、係合突起２２０、３２０間の係合が解除されるので、第１クロージャ部２は開き方向Ｙの反対方向だけでなく直接閉じ方向Ｘの反対方向にも第２クロージャ部３から取り外すことができる。
【００８６】
原理的には、第２クロージャ部２を開き方向Ｚにシフト移動させることにより係合突起２２０、３２０のブロックのみ又は係合のみが解除されることも考えられる。１つ目のケースでは、切欠き３３２の全長に沿って係合突起３２０が延在することになる。２つ目のケースでは、切欠き３３２の全長に沿ってブロッキング要素３３が延在することになる。
【００８７】
クロージャ装置１の動作モードのその他の点は、前記２つの例示的な実施形態と同様なので、前記の説明も参照されたい。
【００８８】
図１３Ａ、図１３Ｂ、図１４Ａ〜図１４Ｅ、図１５Ａ〜図１５Ｅに示すさらなる例示的な実施形態では、クロージャ装置１は第１クロージャ部２及び第２クロージャ部３を含み、前記第１クロージャ部２及び第２クロージャ部３はそれぞれ２つの係合突起２２０、２２１、３２０、３２１を含み、各係合突起は円弧部を形成する。
【００８９】
第１クロージャ部２は、クロージャ装置１を閉じたときに第２クロージャ部３のピン３６が挿入されるピン受け２６を含む。第１クロージャ部２の一方の係合突起２２０は、ピン受け２６内に設けられ、他方の係合突起２２１はピン受け２６の外壁に配置される。
【００９０】
第２クロージャ部３は、第２クロージャ部３の基体３０に弾性ブロッキング・タングとして形成されたブロッキング要素３３を含む。
【００９１】
クロージャ装置１の動作モードは、図１４Ａ〜図１４Ｅ及び図１５Ａ〜図１５Ｅより把握できる。
【００９２】
閉じる際、第１クロージャ部２は第２クロージャ部３に対して閉じ方向Ｘに取り付けられる。乗上げスロープを備えた係合突起２２０、２２１がそれぞれ第２クロージャ部３の対応する係合突起３２０、３２１に乗り上げ、それにより、第１クロージャ部２が第２クロージャ部３に対して係合方向Ｙの反対方向にずれる(オフセットされる)ことになる（図１４Ａ、図１５Ａ）。
【００９３】
取付けの際には、係合突起２２０、２２１は係合方向Ｙに互いに係合するまで、第１クロージャ部２の２つの係合突起２２０、２２１のうち、係合突起２２０はブロッキング要素３３に接触して前記ブロッキング要素３３を閉じ方向Ｘ（図１４Ｂ、図１５Ｂ）に押して通常位置から外す（図１４Ｃ、図１５Ｃ及び図１４Ｄ、図１５Ｄ）。閉じ位置（図１４Ｄ、図１５Ｄ）では、係合突起２２０、２２１、３２０、３２１は互いに確実に係合し、図１５Ｄの左側に示すように、第１クロージャ部２の係合突起２２０の係合はブロッキング要素３３によって係合方向Ｙに対して固定される。
【００９４】
図１５Ｃの例に示すように、第１クロージャ部２を第２クロージャ部３に取り付ける際に、ブロッキング要素３３は弾性的に曲げられ、それによってプレストレス(プリテンション)が与えられる。これにより、少なくとも１つの力成分を有するプレストレスが係合突起２２０に対して係合方向Ｙに作用する。その結果、このプレストレス条件下では、ブロッキング要素３３と係合突起２２０との間の接触面はもはや平行ではなくなって互いに角度をなし、係合方向Ｙにおける係合突起３２０、３２１に対する係合突起２２０、２２１の係合は、ばね引張り（スプリング・プリテンション）によりブロッキング要素３３によって機械的にサポートされる。このような効果は、スロープ３３３がブロッキング要素３３及び／又は係合突起２２０に設けられていることから有利に高めることができ、プレストレス条件下では、ブロッキング要素３３及び係合突起２２０は互いに前記スロープ３３３を介して支えられ、これにより、プレストレスの少なくとも一部が係合方向Ｙに向けられた力成分へと変換され、係合がサポートされる。
【００９５】
そしてクロージャ部２、３には磁石２５、３５が設けられ、前記磁石２５、３５が磁気的に引き付け合ってクロージャ部２、３の装着を磁気的にサポートする。この点については、前述の例示的な実施形態の説明も参照されたい。
【００９６】
第１クロージャ部２には、第１クロージャ部２の基体２０に弾性的に接続され、前記基体２０と一体に形成された作動要素４の形態で作動機構４が設けられる。前記作動機構４は、クロージャ装置１を開く際に、閉じ方向Ｘに沿って方向付けられた作動方向Ｂに押し下げられ、それにより、作動要素４はブロッキング要素３３に作用して前記ブロッキング要素３３をブロッキング通常位置から移動させる（図１４Ｅ、図１５Ｅ）。係合突起２２０はこれにより解放され、第１クロージャ部２は第２クロージャ部３に対して係合方向Ｙとは反対の取外し方向Ｙ´に移動でき、このようにして係合突起２２０、２２１、３２０、３２１は互いの係合が外れるように移動できる。
【００９７】
これは、特に、ユーザが、開く際に必要な２つの動作（ブロッキング・ピースによるブロックの解除及び係合突起の係合の解除）を１つの作動により行えるという点で利点がある。
【００９８】
図１６Ａ〜図１６Ｄ、図１７Ａ〜図１７Ｄ、図１８Ａ、図１８Ｂに示すようなクロージャ装置１のさらなる例示的な実施形態では、２つのクロージャ部２、３は同一の構造で形成されており、それぞれ２つの係合突起２２０、２２１、３２０、３２１を含む。クロージャ部２、３が同一の部品として形成されていることにより、例えばプラスチック射出成型のメカニズムでクロージャ部を形成する際に必要なツールが１つのみとなるので、製造が特に簡単となる。
【００９９】
クロージャ部２、３はそれぞれブロッキング要素２７、３３を含み、前記ブロッキング要素２７、３３は、クロージャ装置１の閉じ位置において、それぞれ他方のクロージャ部３、２の対応する係合突起３２０、２２１と連動してブロッキングを行う。
【０１００】
クロージャ装置１の動作モードは図１６Ａ〜図１６Ｄ、図１７Ａ〜図１７Ｄから把握できる。
【０１０１】
閉じる際、第１クロージャ部２は第２クロージャ部３に対して閉じ方向Ｘに装着され、それにより、ブロッキング要素２７、３３はそれぞれ他方のクロージャ部３、２の係合突起３２０、２２１と連動することにより各通常位置から移動する（図１７Ａ、図１７Ｂ参照）。ブロッキング要素２７、３３を脇へ押しやることにより、係合突起２２０、２２１、３２０、３２１を互いに係合させることができる。つまり、第１クロージャ部２が第２クロージャ部３に対して係合方向Ｙに移動して、係合突起２２０、２２１、３２０、３２１が閉じ位置（図１６Ｃ、図１７Ｃ）において互いに確実に係合するに至る。係合突起２２０、２２１、３２０、３２１が閉じ位置に移行する際、ブロッキング要素２７、３３は再びそれらの通常位置に戻り、第１クロージャ部２の、第２クロージャ部３に対する係合方向Ｙの反対方向への移動をブロックし、それによって、係合突起２２０、２２１、３２０、３２１の係合が係合方向Ｙに固定される。
【０１０２】
クロージャ装置１を開く際、第１クロージャ部２を第２クロージャ部３に対して作動方向Ｚに回転させることができ、これにより、第１クロージャ部２の係合突起２２０、２２１は、開き方向Ｚの向きに、第２クロージャ部３の係合突起３２０、３２１との係合から外れることになる（図１６Ｄ、図１７Ｄ）。同時に、これによって係合突起２２０、３２１はブロッキング要素２７、３３の領域から外れ、ブロッキング機構２７、３３によるクロージャ装置１のブロックが解除される。この開き位置でクロージャ部２、３を互いに取り外すことができる。
【０１０３】
開く際に第１クロージャ部２を第２クロージャ部３に対して開き方向Ｚに回転させることにより、クロージャ部２、３のプラットフォーム２８において斜面（Rampe）２８０同士が互いに乗り上げる（第１クロージャ部２を別の図で示す図１８Ｂを参照；第２クロージャ部３も同一の構造である）。クロージャ部２、３の斜面２８０同士が互いに乗り上げることにより、クロージャ装置１を開く際に第１クロージャ部２が第２クロージャ部３から閉じ方向Ｘの反対方向に離間する。これは、開く際に同時にクロージャ部２、３の磁石２５、３５間に作用する磁力を弱める効果をもたらすという利点がある。開く際、第１クロージャ部２を第２クロージャ部３に対して約９０°回転させる（図１６Ｂ）。この開き動作は、開き方向Ｚ及びその反対方向の両方の回転により行うことができるので、第１クロージャ部２は第２クロージャ部３に対して両方向に回転させることができる。
【０１０４】
磁石２５、３５は矩形状磁石として設計すると有利である。磁石２５、３５は互いに近づけると整列され、図１６Ａ〜図１６Ｃ、図１７Ａ〜図１７Ｃに示すようにクロージャ部２、３が長手方向整列位置となるよう好適に方向付けられる。回転させると磁気的な逆駆動トルクが得られるので、特に、不注意でほんのわずかにずれた場合において、クロージャ部２、３を閉じ位置に対応する長手整列方向に戻すことができる。
【０１０５】
図１９Ａ〜図１９Ｆに示すようなクロージャ装置１のさらなる例示的な実施形態では、第１クロージャ部２は第２クロージャ部３に対して閉じ方向Ｘに装着できる。装着の際（図１９Ａ、１９Ｂ）、第１クロージャ部２及び第２クロージャ部３の係合突起２２０、３２０が互いに乗り上げ、それにより、係合突起２２０、３２０は乗上げスロープに沿って互いにスライドし、第１クロージャ部２は第２クロージャ部３に対して係合方向Ｙにオフセットされる。第２クロージャ部３のブロッキング要素３３は閉じ方向Ｘに脇へ押しやられ（図１９Ｃ）、それにより、第１クロージャ部２の係合突起２２０は第２クロージャ部３の係合突起３２０を通り過ぎて移動することができ、係合突起２２０、３２０が係合方向Ｙに確実に係合するに至ることができる（図１９Ｄ）。閉じ位置（図１９Ｄ）において、ブロッキング要素３３は再びその通常位置に戻り、ブロッキング要素３３は第１クロージャ部２の係合突起２２０をブロックするよう作用し、これにより、係合突起２２０、３２０同士の係合を確実にする。開く際、第１クロージャ部２は、それに対して設けられた物体２０２とともに、開き方向Ｚに回動可能である。丸み部分（Abrundung）２２３を有する係合突起２２０はブロッキング要素３３の端面に沿って移動し、閉じ方向Ｘに対する係合突起２２０と係合突起３２０との間の確実な係合が解除され、第１クロージャ部を第２クロージャ部３から閉じ方向Ｘに取り除くことができる（図１９Ｆ）。
【０１０６】
図１９Ａ〜図１９Ｆに示す例示的な実施形態により、例えば眼鏡（例えばスキーゴーグル：Skibrille）又はバイザー（Visier）などをヘルメット（例えばスキーヘルメット）に固定することができる。
【０１０７】
図２０に示すようなクロージャ装置１の例示的な実施形態では、同一構造部品として形成された２つのクロージャ部２、３はそれぞれ複数の係合突起２２０、３２０を含み、これらの係合突起２２０、３２０はそれぞれ対応するクロージャ部２、３において１列に配置される。係合突起２２０、３２０は、クロージャ部２、３を閉じ方向に装着することにより互いに係合され、図２０に示す閉じ位置において、係合突起２２０、３２０同士の保持がクロージャ部２、３の２つのブロッキング要素２７、３３により固定され、それにより、係合突起２２０、３２０同士の係合が容易に解除されなくなる。
【０１０８】
作動の際、ブロッキング要素２７、３３は手動で作動可能であり、両ブロッキング要素２７、３３は対応する係合突起３２０、２２０とのブロック係合が外れるよう曲げられる。ブロッキング要素２７、３３を遠ざけた後、係合突起２２０、３２０を互いに向けて係合方向Ｙの反対方向に移動させることができ、それにより、クロージャ部２、３を互いに離間させることができる。
【０１０９】
図２０の例示的な実施形態の変形例である図２１の例示的な実施形態では、２つのクロージャ部２、３にはそれぞれ複数の係合突起２２０、３２０が２次元マトリックスの態様で配置されている。そしてクロージャ部２、３には、それぞれブロッキング要素２７、３３が設けられており、それにより、係合突起２２０、３２０同士の係合が閉じ位置においてブロックされるようになっている。
【０１１０】
原理的には、クロージャ部２、３に設けられた係合突起２２０、３２０の数はブロッキング要素２７、３３の数に対応する必要はない。原理的には、各クロージャ部２、３につき１つのブロッキング要素２７、３３があれば、係合突起２２０、３３０の係合をブロックして固定するには十分であるが、確実なブロックのため、第１クロージャ部２若しくは第２クロージャ部３のいずれか、又は両方のクロージャ部２、３に複数のブロッキング要素２７、３３を設けることも可能である。
【０１１１】
図２２Ａ、図２２Ｂ、図２３Ａ〜図２３Ｅ、図２４Ａ〜図２４Ｅ、図２５Ａ〜図２５Ｅに示すようなクロージャ装置１の例示的な実施形態では、２つのクロージャ部２、３が設けられ、そのうちの第２クロージャ部３はハウジング５に格納可能に設けられる。
【０１１２】
第１クロージャ部２は、図１〜図５の例示的な実施形態と同様に形成された係合突起２２０、２２１を含む。第１クロージャ部２には、クロージャ装置１を開くよう機能する押しボタンの形態で作動機構４が設けられる。前記押しボタン４は第１クロージャ部２の基体２０に設けられた開口部２０３、２０４を通って延在する作動部４０Ａ、４０Ｂを含み、前記作動部４０Ａ、４０Ｂは第２クロージャ部３のブロッキング要素３３、３４に作用するものである。押しボタン４は第１クロージャ部３の磁石受け２５０と係合する開口部４０１を含む。前記磁石受け２５０には、第１クロージャ部２の磁石２５が保持される。
【０１１３】
第２クロージャ部３は同様に係合突起３２０、３２１を含む。第２クロージャ部３には、ブロッキング要素３３、３４がさらに設けられる。ここまでは、前記第２クロージャ部３は図１〜図５の例示的な実施形態に係る第２クロージャ部３と同様である。
【０１１４】
第２クロージャ部３はハウジング５に設けられ、クロージャ部２、３が互いに装着し得る方向である閉じ方向Ｘに沿ってハウジング５内でシフト移動可能である。ハウジング５は、開口部５００を有する基体５０を含み、そこには第２クロージャ部３のシフト移動路を制限するための停止部５０１が設けられている。基体５０には底部５１が設けられ、前記底部５１の磁石受け５１１には磁石５２が保持される（前記磁石５２は強磁性電機子として形成することもできる）。
【０１１５】
図２３Ａ〜図２３Ｅ、図２４Ａ〜図２４Ｅ、図２５Ａ〜図２５Ｅを参照して前記クロージャ装置１の動作モードを以下に説明する。
【０１１６】
クロージャ装置１を閉じる前のスタート状態において、第２クロージャ部３はハウジング５の内部の格納位置にある（図２４Ａ）。クロージャ装置１を開いた後は、第２クロージャ部３は格納位置に引き込まれる。これは、ハウジング５の底部５１における磁石５２が第２クロージャ部３の磁石３５と磁気的に引き合うようにして連動し、これにより第２クロージャ部３に対してハウジング５内への磁気吸引力を生じるからである。
【０１１７】
クロージャ装置１を閉じる際、第１クロージャ部２がハウジング５に接近し、それにより第１クロージャ部２の磁石２５も第２クロージャ部３の磁石３５に接近する。磁石２５、３５間の磁気吸引力により、第２クロージャ部３はハウジング５内の格納位置から延出し（図２４Ｂ）、それにより第２クロージャ部３は、第１クロージャ部２が第２クロージャ部３と係合し得る延出位置に移動する。
【０１１８】
ハウジング５内における第２クロージャ部３のシフト移動路は、ここでは、ハウジング５に設けられた停止部５０１と第２クロージャ部３に設けられた停止部３７とにより制限される。前記延出位置では、これら停止部５０１、３７は互いに接しており、それにより、第２クロージャ部３はハウジング５における規定された位置に配置される。この位置では、少なくとも第２クロージャ部３の係合突起３２０がハウジング５の開口部５００から突出する。
【０１１９】
第１クロージャ部２を第２クロージャ部３に装着する際、第１クロージャ部２の係合突起２２０は第２クロージャ部３のブロッキング要素３３へと押し付けられ（図２５Ｂ）、それにより、ブロッキング要素３３は閉じ方向Ｘに後退し、第１クロージャ部２の係合突起２２０、２２１は係合突起３２０、３２１と係合する（図２３Ｃ、図２４Ｃ、図２５Ｃ）。
【０１２０】
閉じ位置（図２３Ｃ、図２４Ｃ、図２５Ｃ）では、係合突起２２０、２２１、３２０、３２１は互いに係合し、係合方向Ｙに対する前記係合がブロッキング要素３３、３４によって固定される。
【０１２１】
開く際、作動ノブ４は閉じ方向Ｘと平行な作動方向Ｂに作動され、作動部４０Ａ、４０Ｂはそれぞれ対応するブロッキング要素３３、３４に作用して前記ブロッキング要素３３、３４をその通常位置外へ押しやる（図２５Ｄ）。これにより係合突起２２０、２２１、３２０、３２１の係合のブロックが解除され、係合突起２２０、２２１は、係合方向Ｙの反対方向に、第２クロージャ部３の係合突起３２０、３２１との係合から外れる（図２３Ｅ、図２４Ｅ、図２５Ｅ）。この状態から、クロージャ部２、３は互いに取り外すことができ、それによりクロージャ装置１は開かれる。
【０１２２】
２つの斜視分解図である図２６Ａ、図２６Ｂ及びそれぞれ異なる位置で示す図２７Ａ〜図２７Ｄ、図２８Ａ〜図２８Ｄに示すようなクロージャ装置１の例示的な実施形態では、２つのクロージャ部２、３が設けられる。前記クロージャ部２、３は原理的には図１〜図５を参照して例として説明した例示的な実施形態の態様で形成され、それぞれ２つの係合突起２２０、２２１、３２０、３２１を含む。これらの係合突起は互いにＶ字形状をなすよう設けられ、クロージャ装置１の閉じ位置では互いに確実に係合する。この点については前記の説明も参照されたい。
【０１２３】
図２６〜図２８に示す例示的な実施形態では、第１クロージャ部２は、レバー要素４６により形成された作動機構４を含む。レバー要素４６は２つのタブを介して第１クロージャ部２の基体２０のピン２０５、２０６にピボット運動可能に設けられており、ピボット軸Ｓを中心に基体２０に対してピボット運動可能となっている。レバー要素４には、タブ４６１Ａ、４６１Ｂから離れた前端に２つのブロッキング・ノーズ４６０Ａ、４６０Ｂが設けられる。前記ブロッキング・ノーズ４６０Ａ、４６０Ｂは、クロージャ装置１の閉じ位置において、第２クロージャ部３の基体３０に剛体的に形成されたブロッキング要素３３、３４と係合し、これにより、閉じ位置におけるクロージャ部２、３同士の確実な係合を係合方向Ｙに対してブロックする。
【０１２４】
クロージャ装置１を閉じるために第１クロージャ部２を第２クロージャ部３に装着する際、図２７Ａ、図２８Ａに示すように、第１クロージャ部２は第２クロージャ部３に対して閉じ方向Ｘに近づく。クロージャ部２、３における磁石２５、３５（又は一方のクロージャ部２、３における磁石及び他方のクロージャ部３、２における磁性電機子）により、クロージャ部２、３同士が磁気的に引き付け合うので、閉じ動作が磁気的にサポートされる。
【０１２５】
図２７Ｂ、図２８Ｂに示すように、係合突起２２０、２２１、３２０、３２１における乗上げスロープ２２２、３２２同士が突き当たって互いに乗り上げ、第１クロージャ部２が第２クロージャ部３に対して係合方向Ｙの反対方向にずれ、係合突起２２０、２２１を備えた第１クロージャ部は係合突起３２０、３２１を通り過ぎてスライドし係合突起３２０、３２１に係合することができる。
【０１２６】
図２７Ｃ、図２８Ｃに示す閉じ位置では、クロージャ部２、３の係合突起２２０、２２１、３２０、３２１が互いに確実に係合され、特に、クロージャ部２、３間において係合方向Ｙに作用する負荷が効果的に吸収される。
【０１２７】
第１クロージャ部２の基体にはウェブガイド２０７が設けられ、前記ウェブガイド２０７は、クロージャ部２、３の装着時に、第２クロージャ部３の基体３０における溝ガイド３００と係合する。これにより、クロージャ部２、３は閉じ方向Ｘに対してトランスバース方向かつ係合方向Ｙに対してトランスバース方向において互いに固定される。よって、クロージャ部同士の変位は係合方向Ｙに沿ってのみ可能となる。これによりクロージャ装置１の機械的安定性が向上する。
【０１２８】
クロージャ部２、３を互いに装着する際、作動機構４のレバー要素４６におけるブロッキング・ノーズ４６０Ａ、４６０Ｂもまた、第２クロージャ部３の剛性ブロッキング要素３３、３４に突き当たる。図２８Ｂに示すように、最初、レバー要素４６はわずかに後退しピボット運動する。閉じ位置では、図２８Ｃに示すように、ブロッキング・ノーズ４６０Ａ、４６０Ｂは係合方向Ｙから見てブロッキング要素３３、３４の後方に位置し、それにより、第２クロージャ部３に対する係合方向Ｙの反対方向への第１クロージャ部２の変位がブロックされる。このようにして、閉じ位置ではクロージャ部２、３は係合方向Ｙに互いに確実に保持され、互いに係合方向Ｙに対してブロックされる。
【０１２９】
開く際、レバー要素４６が作動されるが、そのためにレバー要素４６は図２７Ｄ、図２８Ｄに示すように開き方向Ｚにピボット運動する。これにより、レバー要素４６のブロッキング・ノーズ４６０Ａ、４６０Ｂは第２クロージャ部３のブロッキング要素３３、３４の領域から外れ、クロージャ部２、３間のブロックが解除される。
【０１３０】
また、レバー要素４６の作動時には、ブロッキング・ノーズ４６０Ａ、４６０Ｂから離れた位置にあるレバー要素４６のレバー・ポーション４６２の端部４６３が第２クロージャ部３の基体３０内の開口部３１０と係合する。この開口部３１０のエッジ部分に作用することにより、第１クロージャ部２に対して係合方向Ｙの反対方向にレバー力が生じる。前記レバー力は、レバー要素４６の作動時に、図２８Ｄに示すように、係合突起２２０、２２１を備えた第２クロージャ部２を押して第２クロージャ部３の係合突起３２０、３２１との係合から外す。
【０１３１】
このように、レバー要素は、一方では、閉じ位置においてクロージャ部２、３を互いにブロックする役割を果たし、他方では、クロージャ部２、３を互いに離間させる開き動作をサポートする役割を果たす。
【０１３２】
レバー要素４６は例えば金属部品として製造でき、例えば強磁性材料からなる板金部品として製造できる。このことは、第１クロージャ部２に設けられた磁石２５がレバー要素４６を引き付けるよう作用し、前記レバー要素４６を、クロージャ部２、３同士が装着可能となるスタート位置へと移動させるという点で有利である。このスタート位置では、レバー要素４６のブロッキング・ノーズ４６０Ａ、４６０Ｂは、クロージャ部２、３同士が装着されたときに各ブロッキング・ノーズがブロッキング要素３３、３４に接触してブロックするような位置にある。レバー要素４６の磁気的な作用により、クロージャ装置１が閉じ位置となったときにレバー要素４６もまたスタート位置に保持され、それにより、クロージャ部２、３はそれぞれの位置でブロックされる（図２８Ｃ）。
【０１３３】
また、例えば、レバー要素４６は、機械的なばね要素により、第１クロージャ部２の基体２０に対してスタート位置の方向へ付勢することもできる。これにより、作動後には、この機械的なばねの作用により、レバー要素４６もスタート位置に戻る。
【０１３４】
このような機械的なばねによる付勢は、特に、クロージャ部２、３に磁気機構が全く設けられておらず、したがってクロージャ装置１が純粋に機械的に設計されている場合、又は磁性電機子（のみ）が第１クロージャ部２に設けられている場合に都合がよい。
【０１３５】
レバー要素４６の戻りは、レバー・ポーション４６２と第２クロージャ部３との相互作用により達成することもできる。つまり、クロージャ部２、３を装着すると、レバー・ポーション４６２は第２クロージャ部３に接触し、これによりレバー要素４６はそのスタート位置に戻るというわけである。
【０１３６】
本発明に含まれるアイデアは、上述した例示的な実施形態に限定されず、全く異なる実施形態により実現することもできる。
【産業上の利用可能性】
【０１３７】
本明細書に記載のクロージャ装置は様々な用途に適用し得る。特に、本明細書に記載のクロージャ装置は２つの部品を接続するために使用でき、例えば、２つのベルト、２つのストラップ、２つのケーブル、２つのコードなどを接続するために使用でき、また、バッグ、カバー、ボックス、グローブボックス、その他容器のクロージャとしても使用できる。本明細書に記載のクロージャはその他の部品を接続するために使用することもでき、例えば、バックパック、ジャケット、若しくはズボンにおける物体を接続するため、学生鞄のクロージャとして、スポーツヘルメットにおける物体を固定するため、ホルダにおける携帯電話若しくはコンピュータを固定するため、自転車の錠などのアクセサリを固定するため、又はその他の部品を接続するために使用することもできる。
【符号の説明】
【０１３８】
１    クロージャ装置
２    クロージャ部
２０    基体
２００    受入れスペース
２００Ａ、２００Ｂ    空隙
２０１    ハウジングカバー
２０２    物体
２０３、２０４    開口部
２０５、２０６    ピン
２０７    ガイドウェブ
２１    ベルトウエビング受け
２２    係合機構
２２０、２２１    係合突起
２２２    乗上げスロープ
２２３    丸み部分
２２４    切欠き
２３、２４    ブロッキング・ノーズ
２５    磁石
２５０    磁石受け
２６    ピン受け
２７    ブロッキング要素
２８    プラットフォーム
２８０    斜面
３    クロージャ部
３０    基体
３００    ガイド溝
３１    ベルトウエビング受け
３１０    開口部
３２    係合機構
３２０、３２１    係合突起
３２２    乗上げスロープ
３３、３４    ブロッキング要素
３３０、３４０    乗上げスロープ
３３１、３４１    開口部
３３２    切欠き
３３３    傾斜
３５    磁石
３５０    磁石受け
３６    ピン
３７    停止部
４    作動機構
４０    基体
４０Ａ、４０Ｂ    作動部
４００Ａ、４００Ｂ    ブロッキング・ノーズ
４０１    開口部
４１    保持要素
４２、４３    作動ノーズ
４２０、４３０    乗上げスロープ
４４    ガイド要素
４５    ばね要素
４６    レバー
４６０Ａ、４６０Ｂ    ブロッキング係合要素（ブロッキング・ノーズ）
４６１Ａ、４６１Ｂ    タブ
４６２    レバー・ポーション
４６３    端部
５    ハウジング
５０    基体
５００    開口部
５０１    停止部
５１    底部
５１０    上昇部
５１１    磁石受け
５２    磁石
Ｂ    作動方向
Ｆ    負荷方向
Ｓ    ピボット軸
Ｘ    閉じ方向
Ｙ    係合方向
Ｙ´  取外し方向
Ｚ    開き方向
【図１Ａ】
0006381543.tif 000002
【図１Ｂ】
0006381543.tif 000003
【図２Ａ】
0006381543.tif 000004
【図２Ｂ】
0006381543.tif 000005
【図３Ａ】
0006381543.tif 000006
【図３Ｂ】
0006381543.tif 000007
【図３Ｃ】
0006381543.tif 000008
【図３Ｄ】
0006381543.tif 000009
【図３Ｅ】
0006381543.tif 000010
【図３Ｆ】
0006381543.tif 000011
【図３Ｇ】
0006381543.tif 000012
【図４Ａ】
0006381543.tif 000013
【図４Ｂ】
0006381543.tif 000014
【図４Ｃ】
0006381543.tif 000015
【図４Ｄ】
0006381543.tif 000016
【図４Ｅ】
0006381543.tif 000017
【図４Ｆ】
0006381543.tif 000018
【図４Ｇ】
0006381543.tif 000019
【図５Ａ】
0006381543.tif 000020
【図５Ｂ】
0006381543.tif 000021
【図５Ｃ】
0006381543.tif 000022
【図５Ｄ】
0006381543.tif 000023
【図５Ｅ】
0006381543.tif 000024
【図５Ｆ】
0006381543.tif 000025
【図５Ｇ】
0006381543.tif 000026
【図６Ａ】
0006381543.tif 000027
【図６Ｂ】
0006381543.tif 000028
【図７Ａ】
0006381543.tif 000029
【図７Ｂ】
0006381543.tif 000030
【図７Ｃ】
0006381543.tif 000031
【図７Ｄ】
0006381543.tif 000032
【図７Ｅ】
0006381543.tif 000033
【図７Ｆ】
0006381543.tif 000034
【図８Ａ】
0006381543.tif 000035
【図８Ｂ】
0006381543.tif 000036
【図８Ｃ】
0006381543.tif 000037
【図８Ｄ】
0006381543.tif 000038
【図８Ｅ】
0006381543.tif 000039
【図８Ｆ】
0006381543.tif 000040
【図９Ａ】
0006381543.tif 000041
【図９Ｂ】
0006381543.tif 000042
【図９Ｃ】
0006381543.tif 000043
【図９Ｄ】
0006381543.tif 000044
【図９Ｅ】
0006381543.tif 000045
【図９Ｆ】
0006381543.tif 000046
【図１０Ａ】
0006381543.tif 000047
【図１０Ｂ】
0006381543.tif 000048
【図１１Ａ】
0006381543.tif 000049
【図１１Ｂ】
0006381543.tif 000050
【図１１Ｃ】
0006381543.tif 000051
【図１２Ａ】
0006381543.tif 000052
【図１２Ｂ】
0006381543.tif 000053
【図１２Ｃ】
0006381543.tif 000054
【図１３Ａ】
0006381543.tif 000055
【図１３Ｂ】
0006381543.tif 000056
【図１４Ａ】
0006381543.tif 000057
【図１４Ｂ】
0006381543.tif 000058
【図１４Ｃ】
0006381543.tif 000059
【図１４Ｄ】
0006381543.tif 000060
【図１４Ｅ】
0006381543.tif 000061
【図１５Ａ】
0006381543.tif 000062
【図１５Ｂ】
0006381543.tif 000063
【図１５Ｃ】
0006381543.tif 000064
【図１５Ｄ】
0006381543.tif 000065
【図１５Ｅ】
0006381543.tif 000066
【図１６Ａ】
0006381543.tif 000067
【図１６Ｂ】
0006381543.tif 000068
【図１６Ｃ】
0006381543.tif 000069
【図１６Ｄ】
0006381543.tif 000070
【図１７Ａ】
0006381543.tif 000071
【図１７Ｂ】
0006381543.tif 000072
【図１７Ｃ】
0006381543.tif 000073
【図１７Ｄ】
0006381543.tif 000074
【図１８Ａ】
0006381543.tif 000075
【図１８Ｂ】
0006381543.tif 000076
【図１９Ａ】
0006381543.tif 000077
【図１９Ｂ】
0006381543.tif 000078
【図１９Ｃ】
0006381543.tif 000079
【図１９Ｄ】
0006381543.tif 000080
【図１９Ｅ】
0006381543.tif 000081
【図１９Ｆ】
0006381543.tif 000082
【図２０】
0006381543.tif 000083
【図２１】
0006381543.tif 000084
【図２２Ａ】
0006381543.tif 000085
【図２２Ｂ】
0006381543.tif 000086
【図２３Ａ】
0006381543.tif 000087
【図２３Ｂ】
0006381543.tif 000088
【図２３Ｃ】
0006381543.tif 000089
【図２３Ｄ】
0006381543.tif 000090
【図２３Ｅ】
0006381543.tif 000091
【図２４Ａ】
0006381543.tif 000092
【図２４Ｂ】
0006381543.tif 000093
【図２４Ｃ】
0006381543.tif 000094
【図２４Ｄ】
0006381543.tif 000095
【図２４Ｅ】
0006381543.tif 000096
【図２５Ａ】
0006381543.tif 000097
【図２５Ｂ】
0006381543.tif 000098
【図２５Ｃ】
0006381543.tif 000099
【図２５Ｄ】
0006381543.tif 000100
【図２５Ｅ】
0006381543.tif 000101
【図２６Ａ】
0006381543.tif 000102
【図２６Ｂ】
0006381543.tif 000103
【図２７Ａ】
0006381543.tif 000104
【図２７Ｂ】
0006381543.tif 000105
【図２７Ｃ】
0006381543.tif 000106
【図２７Ｄ】
0006381543.tif 000107
【図２８Ａ】
0006381543.tif 000108
【図２８Ｂ】
0006381543.tif 000109
【図２８Ｃ】
0006381543.tif 000110
【図２８Ｄ】
0006381543.tif 000111